(57)【要約】   本発明は、柔軟な材料からなる１つ又はそれよりも多くのプレカット材料部と、少なくとも１つのプレカット材料部がエアバッグ包体の少なくとも一部を収容するエアバッグカバー（５）を形成するように、前記少なくとも１つのプレカット材料部の領域を互いに接続する接続部と、を備える、車両用エアバッグモジュールのエアバッグ包体へと圧縮されたエアバッグ（３）を収容するエアバッグカバーに関する。最後に、少なくとも幾つかの接続部は分離可能に構成され、衝突事故の際に前記エアバッグ（３）が膨張及び展開したとき、該当する接続部が分離される。【選択図】      図１
2011513130.tif 000002
【特許請求の範囲】
【請求項１】
車両用エアバッグモジュールのエアバッグ包体へと圧縮されたエアバッグ（３）を収容するエアバッグカバーであって、
柔軟な材料からなる１つ又はそれよりも多くのプレカット材料部（６０；６０ａ；６０ｂ；６０ｃ；６０ｄ；７０）と、
前記少なくとも１つのプレカット材料部（６０；６０ａ；６０ｂ；６０ｃ；６０ｄ；７０）がエアバッグ包体の少なくとも一部を収容するエアバッグカバー（５）を形成するように、前記少なくとも１つのプレカット材料部（６０；６０ａ；６０ｂ；６０ｃ；６０ｄ；７０）の領域を互いに接続する接続部（６２，６４；７２，７４）と、
を備え、
ａ）前記エアバッグカバー（５）は、車両装着時に、少なくとも一部が車両乗員に視認可能とされる前記エアバッグモジュールの外側カバーを形成し、
ｂ）少なくとも幾つかの接続部が分離可能に構成され、衝突事故の際に前記エアバッグ（３）が膨張及び展開したとき、該当する接続部（６４，７４）が分離されることを特徴とするエアバッグカバー。
【請求項２】
請求項１に記載のエアバッグカバーであって、
前記少なくとも１つのプレカット材料部（６０；６０ａ；６０ｂ；６０ｃ；６０ｄ；７０）は、伸縮可能な材料から製造されていることを特徴とするエアバッグカバー。
【請求項３】
請求項１又は２に記載のエアバッグカバーであって、
前記接続部（６２，６４；７２，７４）は、前記少なくとも１つのプレカット材料部（６０；６０ａ；６０ｂ；６０ｃ；６０ｄ；７０）の縁部領域間に形成されていることを特徴とするエアバッグカバー。
【請求項４】
請求項１から４のうちのいずれか一項に記載のエアバッグカバーであって、
前記エアバッグカバー（５）は、前記エアバッグ包体を取り囲むシェル部（６）と、前記シェル部（６）の前面側に配置されたカバー部（７）とを有することを特徴とするエアバッグカバー。
【請求項５】
請求項４に記載のエアバッグカバーであって、
前記カバー部（７）は、前記エアバッグ（３）の展開の間に、少なくとも一部が前記シェル部（６）から分離されることを特徴とするエアバッグカバー。
【請求項６】
請求項５に記載のエアバッグカバーであって、
前記カバー部（７）は、前記エアバッグ（３）の展開後に、少なくとも一部が前記シェル部（６）に接続されていることを特徴とするエアバッグカバー。
【請求項７】
請求項５に記載のエアバッグカバーであって、
前記カバー部（７）は、前記エアバッグ（３）の展開の間に、前記シェル部（６）から完全に分離されることを特徴とするエアバッグカバー。
【請求項８】
請求項５から７のうちのいずれか一項に記載のエアバッグカバーであって、
前記カバー部（７）は、前記エアバッグ（３）に接続され、エアバッグ展開後においても少なくとも一部が前記エアバッグ（３）との接続を維持することを特徴とするエアバッグカバー。
【請求項９】
請求項４から８のうちのいずれか一項に記載のエアバッグカバーであって、
前記シェル部（６）は、前記エアバッグ（３）の膨張及び展開の際に分離される少なくとも１つの分離可能な接続部（６４）を有し、これにより展開する前記エアバッグ（３）用の開口部が前記シェル部（６）に形成されることを特徴とするエアバッグカバー。
【請求項１０】
請求項１から９のうちのいずれか一項に記載のエアバッグカバーであって、
前記エアバッグカバー（５）内に、少なくとも１つのループ（６１）が少なくとも１つの分離可能な接続部（６４）によって形成固定され、前記ループ（６１）は、前記エアバッグ（３）の膨張及び展開の間に前記接続部（６４）が緩むことによって、前記エアバッグカバー（５）の一部へと変形可能とされ、これにより前記エアバッグカバー（３）によって定まる容積が増加することを特徴とするエアバッグカバー。
【請求項１１】
請求項１から１０のうちのいずれか一項に記載のエアバッグカバーであって、
前記エアバッグカバー（５）は、当該エアバッグカバー（５）を専用の保持手段（１）に固定可能とする固定手段（４）を備えていることを特徴とするエアバッグカバー。
【請求項１２】
請求項１１に記載のエアバッグカバーであって、
前記固定手段（４）は、前記エアバッグカバー（５）上を一周する固定リングからなり、前記エアバッグカバー（５）は、この固定リングを介して前記保持手段（１）に固定可能とされることを特徴とするエアバッグカバー。
【請求項１３】
請求項１から１２のうちのいずれか一項に記載のエアバッグカバーであって、
柔軟なエアバッグカバー（５）に規定形状にするべく張力が付与されると、前記エアバッグカバー（５）は専用の保持手段（１）によって保持されることを特徴とするエアバッグカバー。
【請求項１４】
請求項１から１３のうちのいずれか一項に記載のエアバッグカバーであって、
前記エアバッグカバー（５）は、前記エアバッグ（３）を収容するように当該エアバッグカバー（５）が折り返し可能とされ、これにより前記エアバッグカバー（５）が回転されることを特徴とするエアバッグカバー。
【請求項１５】
請求項１から１４のうちのいずれか一項に記載のエアバッグカバーであって、
前記少なくとも１つのプレカット材料部（６０；６０ａ；６０ｂ；６０ｃ；６０ｄ；７０）は、前記接続部（６２，６４；７２，７４）での接続が形成される前は、平らなプレカット部として形成されることを特徴とするエアバッグカバー。
【請求項１６】
請求項１から１５のうちのいずれか一項に記載のエアバッグカバーであって、
前記少なくとも１つのプレカット材料部（６０；６０ａ；６０ｂ；６０ｃ；６０ｄ；７０）用の材料は、織物、特にプラスチック箔としての可撓性プラスチック、皮革、合成皮革の中から選択されていることを特徴とするエアバッグカバー。
【請求項１７】
請求項１から１６のうちのいずれか一項に記載のエアバッグカバーであって、
前記エアバッグカバー（５）は、前記エアバッグ（３）を収容するための外側収容体を形成し、これにより前記エアバッグカバー（５）とは別に、前記エアバッグ（３）から形成されたエアバッグ包体を収容し、前記エアバッグ包体自体を保持可能とするエアバッグ（３）用の別の収容体を要しないことを特徴とするエアバッグカバー。
【請求項１８】
請求項１から１７のうちのいずれか一項に記載のエアバッグカバーであって、
前記エアバッグカバーは、圧縮状態のエアバッグ包体として収容したエアバッグ（３）を保持するよう配置構成されていることを特徴とするエアバッグカバー。
【請求項１９】
特に請求項１から１８のうちのいずれか一項に記載のエアバッグカバーを製造するための方法であって、
前記エアバッグカバー（５）は、柔軟な材料から製造された少なくとも１つのプレカット材料部（６０；６０ａ；６０ｂ；６０ｃ；６０ｄ；７０）から形成され、前記少なくとも１つのプレカット材料部（６０；６０ａ；６０ｂ；６０ｃ；６０ｄ；７０）の領域が互いに接続され、少なくとも幾つかの接続部（６２，６４；７２，７４）が分離可能とされ、衝突事故の際の前記エアバッグ（３）が膨張及び展開したとき、該当する接続部が分離されることを特徴とする方法。
【請求項２０】
請求項１９に記載の方法であって、
前記プレカット材料部（６０；６０ａ；６０ｂ；６０ｃ；６０ｄ；７０）として、平らなプレカット部が使用されることを特徴とする方法。
【請求項２１】
請求項１９又は２０に記載の方法であって、
柔軟な前記エアバッグカバー（５）に、当該エアバッグカバー（５）を車両構成部、特にモジュールラック（１）に固定するための固定手段（４）を設けることを特徴とする方法。
【請求項２２】
請求項２１に記載の方法であって、
前記エアバッグカバー（５）を保持手段（１）に固定可能とする固定手段（４）として、前記エアバッグカバー（５）まわりを一周する弾性リングを設けることを特徴とする方法。
【請求項２３】
特に請求項１から１８のうちのいずれか一項に記載の柔軟なエアバッグカバー（５）にエアバッグ包体を配置するための方法であって、
前記エアバッグカバー（５）は、最初に、前記エアバッグカバー（５）の外面（６ａ，７ａ）が内側に向かい、前記エアバッグカバー（５）の内面（６ｉ，７ｉ）が外側に向かうように折り返し可能とされ、その後に、前記エアバッグカバー（５）は、回転によって当該エアバッグカバー全体が折り返され、これにより前記エアバッグ包体を形成するエアバッグ（３）が前記エアバッグカバー（５）によって収容され、前記エアバッグカバー（５）の外面（６ａ，７ａ）が再び外側に向かい、前記エアバッグカバー（５）の内面（６ｉ，７ｉ）が再び内側に向かうことを特徴とする方法。
【請求項２４】
請求項２３に記載の方法であって、
前記エアバッグカバー（５）が前記エアバッグ包体を覆って折り返される前に、前記エアバッグ（３）は、少なくとも１つの接続部（３２）において前記エアバッグカバー（５）に接続されることを特徴とする方法。
【請求項２５】
請求項２４に記載の方法であって、
前記エアバッグ（３）は、前記エアバッグカバー（５）が少なくとも１つの接続部（３２）において前記エアバッグ（３）に接続された後に、エアバッグ包体へと圧縮されることを特徴とする方法。
【請求項２６】
請求項２３から２５のうちのいずれかに一項に記載の方法であって、
前記エアバッグカバー（５）は、前記エアバッグ包体を覆って折り返された後に、保持部、特にモジュールラック（１）に固定されることを特徴とする方法。
【発明の詳細な説明】
【技術分野】
【０００１】
本発明は、請求項１に記載のエアバッグモジュールのエアバッグ包体を収容するエアバッグカバー、請求項１９に記載のそのようなエアバッグカバーの製造方法、また更には、請求項２３に記載の、エアバッグカバー内にエアバッグを配置する方法に関するものである。
【背景技術】
【０００２】
衝突事故の際に車両乗員を保護するべくガスで膨張し、従って例えば保護される車両乗員と車両の車体外胴との間で展開する車両用エアバッグモジュールのエアバッグを、少なくとも一部がエアバッグ包体をカップ形状に取り囲むエアバッグカバー内でエアバッグ包体が圧縮されるように収容することが知られている。
【０００３】
言及した種類の公知のエアバッグカバーは、典型的には本質的に寸法が安定化するように構成され（プラスチック材料で製造され）、最も限定された弾性キャップには、膨張時のエアバッグ展開用の開口部を開放するべく、エアバッグカバー内に配置されたエアバッグの膨張の間に、キャップが破断する破断構造が設けられている。
【発明の開示】
【発明が解決しようとする課題】
【０００４】
本発明の目的は、新規なエアバッグカバー、その製造方法、及びそのようなエアバッグカバーに、軽量で扱いが簡単なエアバッグの展開を支援するようにエアバッグ包体を組み付けるための方法を提供することである。
【課題を解決するための手段】
【０００５】
本発明によれば、エアバッグカバーに関するこの問題は、請求項１の特徴によって解決され、また方法に関しては、請求項１９及び２３の特徴によって解決される。
【０００６】
従って、エアバッグカバーは、柔軟な材料（ないし可撓性材料）、好ましくは伸縮性材料によって製造され、これにより（柔らかい）エアバッグカバーが、そのエアバッグカバー内に配置されるエアバッグ包体の形状に適合される。
【０００７】
そのようなエアバッグカバーは、例えば織物材料、プラスチック又は皮革から、簡便且つ軽量に形成することが可能であり、また従ってエアバッグカバーの各車両周辺部に、特には、車両に予定のように装着された際のエアバッグモジュールのエアバッグカバーの状態について言及すると（即ち、エアバッグ視認用の特別な手段を別途設けることのない車両の通常使用の場合に）、エアバッグカバーのうち車両の車内で（車両乗員に）視認可能とされる部位（いわゆる視認可能面）に有利に適用可能とされる。
【０００８】
エアバッグカバーは、所定の適正な手段によって互いに接続された１つ又はそれよりも多くのプレカット材料部（予めカットされた材料部分）から製造可能とされ、このため複数の接続部の幾つかは、エアバッグカバー内に配置されたエアバッグの膨張及び展開の際に分離可能な（開裂ないし破断する）接続部として構成され、これによりエアバッグの展開動作が特に影響を受け得る。
【０００９】
エアバッグの柔軟性、また必要に応じては弾性によって、エアバッグカバーの特定の接続が分離されたときにエアバッグの展開が可能となるのみならず、エアバッグカバーの特定の接続部の分離が未だ生じていない状態においても、エアバッグカバーの柔軟性、また必要に応じては弾性により、展開エアバッグが既に所定の膨張状態になり得る。
【００１０】
特に、エアバッグ包体を収容するエアバッグカバーの柔軟な壁部に、分離可能に固定された少なくとも１つのループを配置することも可能であり、このため膨張時のエアバッグ展開圧の作用下で、ループの固定が解除され、これによりそれに応じて各ループの領域でのエアバッグカバーの柔軟な壁部が増え、またエアバッグカバーの内部のエアバッグ包体の更なる膨張が許容され、また促進される。
【００１１】
本発明により形成された柔軟なエアバッグカバーと、エアバッグカバー内に組み入れられるエアバッグ包体とを所定の構造ユニット（エアバッグユニット）へと組み合わせるためには、従来技術において知られたようにカバー内へとエアバッグ包体を押圧する必要はなく、カバーはその柔軟性を用いることで回転によりエアバッグ包体を覆う折り返しが可能とされ、このため更に、エアバッグ包体まわりを一周する例えば弾性リングの形態の固定手段（特には、プラスチック製バンドによって形成されたもの）は、カバーの回転後にモジュールラック又は別の保持部に対してカバーを固定する機能を果たす。
【００１２】
更に、エアバッグは、特にエアバッグカバーの回転によりエアバッグ包体を覆って折り返されるエアバッグカバー内への配置前に、少なくとも一箇所でエアバッグカバーに、特にはエアバッグカバーのカバー部に接続されるように構成され得る。
【００１３】
この結果、エアバッグは、少なくとも一箇所でエアバッグカバーに、特にはエアバッグカバーのカバー部に既に接続された後にのみ、エアバッグ包体へと有利に圧縮され得る。
【００１４】
エアバッグとエアバッグカバーとが直接的に接続される必要はなく、この目的において、一方ではエアバッグカバーに接続され、他方ではエアバッグに接続される中間層を設けることもできる。
【００１５】
エアバッグがエアバッグカバー、特にカバー部に接続されることにより、更にエアバッグのうちエアバッグカバーに接続された部位とエアバッグカバーとの相対位置、特にはそのカバー部との相対位置が、ステアリングホイール内に組み付けられた乗員エアバッグモジュールの場合にも常に同一に維持されるという有利な点がある。
【００１６】
本発明の一実施の形態によれば、エアバッグカバーは、エアバッグ包体を取り囲むシェル部と、シェル部の前面側に設けられたカバー部とを有し、このためカバー部は、展開エアバッグ用の開口部を開放するべく、エアバッグの展開の間に少なくとも一部がシェル部から分離可能とされる。
【００１７】
そのため、一方では、少なくとも一部がシェル部に接続されたエアバッグの展開後においても、エアバッグカバーのカバー部がとどまり、即ちカバー部がシェル部に強固に接続されている（破断することができない）。他方では、エアバッグカバーは、そのカバー部が分離可能又は破断可能な接続部によって独占的にシェル部に接続されるよう構成可能とされ、これによりエアバッグカバー内に配置されたエアバッグの膨張及び展開の間に、エアバッグカバーのカバー部がシェル部から完全に分離される。エアバッグの膨張及び展開の間に車内へと展開されるエアバッグカバーのカバー部が制御されない場合を回避するべく、カバー部とエアバッグカバー内に配置されたエアバッグとの間に、（必要に応じ中間層を介して間接的に）長時間接続を継続する（耐久性の高い）接続部を形成可能とされる。
【００１８】
エアバッグカバー、特にエアバッグカバーのカバー部が柔軟で、従って比較的柔らかい構成であるため、その長時間接続を継続する接続部がエアバッグにおける車両乗員の怪我の危険性を抑え、エアバッグとそれに固定されたカバー部とを有するガスクッション装置の表面形状については、カバー部に柔軟な材料を適切に選択することによって、衝突事故発生の際の車両乗員の保護効果が更に最適化され得る。
【００１９】
柔軟な材料からなるエアバッグカバーは、衝突事故の際に膨張可能且つ展開可能なエアバッグ包体を収容する機能を果たすカバーのみを有利に形成する。特に形状が安定化したモジュール収容体内にともに収容される折り畳みエアバッグ包体の柔軟なケーシングの事とされ、柔軟なエアバッグカバーは、その膨張及び展開の前においては保護される車両乗員から離間する。従って、エアバッグ包体の収容体としての機能を有する柔軟なエアバッグカバーの外側に別のモジュール構成要素が設けられない。換言すれば、柔軟なエアバッグカバーは、少なくとも該当するエアバッグモジュールによって保護される車両乗員の方向に関し、また必要に応じて保護される車両乗員の方向への膨張の間にエアバッグが拡張する主展開方向の対角線方向に関し、該当するエアバッグ包体の最も外側のケーシングを形成するため有利とされる。
【００２０】
エアバッグカバーは、更に、圧縮された（特にはコンパクト化された）状態のエアバッグ包体としてエアバッグを保持する機能を果たし（一方でエアバッグがカバーによって、より具体的にはその内側に保持される状態とされ）、或いは少なくとも当該保持に寄与することが可能とされる。
【００２１】
柔軟なエアバッグカバーは、少なくとも１つの（平坦状の平らな）プレカット材料部から有利に形成可能とされ、少なくとも１つのプレカット材料部の領域が適切な接続部（少なくとも一部が分離可能又は破断可能な接続部として構成される）で互いに接続される。
【００２２】
本発明の更なる詳細及び有利な点は、図面に基づく以下の実施形態の記載によって明確化される。
【図面の簡単な説明】
【００２３】
【図１】柔軟なエアバッグカバーを備えたエアバッグモジュールの分解斜視図である。
【図２ａ】図１に示す種類のエアバッグカバーを、エアバッグモジュールのエアバッグを覆ってエアバッグカバー全体を回転させることによって折り返すための準備ステップを示す図である。
【図２ｂ】図１に示す種類のエアバッグカバーを、エアバッグモジュールのエアバッグを覆ってエアバッグカバー全体を回転させることによって折り返すための準備ステップを示す図である。
【図３ａ】図１に係る第１実施の形態の柔軟なエアバッグカバーを該当するエアバッグと共に示す側面図である。
【図３ｂ】エアバッグが省略された状態の図３ａの構成の断面図である。
【図４ａ】図１に係る第２実施の形態の柔軟なエアバッグカバーを、その中に配置されたエアバッグと共に示す側面図である。
【図４ｂ】エアバッグが省略された状態の図４ａの構成の断面図である。
【図５ａ】図１に係る第３実施の形態の柔軟なエアバッグカバーを、その中に配置されたエアバッグと共に示す側面図である。
【図５ｂ】エアバッグが省略された状態の図５ａの構成の断面図である。
【図６ａ】図１に係る第４実施の形態の柔軟なエアバッグカバーを、その中に配置されたエアバッグと共に示す側面図である。
【図６ｂ】エアバッグが省略された状態の図６ａの構成の断面図である。
【図７】ステアリングホイール内に組み付けられた図１に示す種類のエアバッグモジュールを、エアバッグが展開された状態にて示す図であって、柔軟なエアバッグカバーがヒンジ状のカバー部を有する。
【図８】ステアリングホイール内に組み付けられた図１に示す種類のエアバッグモジュールを、エアバッグが展開された状態にて示す図であって、エアバッグカバーは、エアバッグに強固に接続されたカバー部を有する。
【図９】複数のプレカット材料部が破断縫い目によって互いに接続された構成の柔軟なエアバッグカバーのシェル部の断面図である。
【図１０ａ】図９に示す実施形態の変更例であって、柔軟なエアバッグカバーのワンピース構造のシェル部において、複数のループが破断縫い目によって形成された構成を示す図である。
【図１０ｂ】図１０ａのシェル部が破断縫い目の分離後の状態にて示される図である。
【図１１ａ】図３ａ及び図３ｂにおける柔軟なエアバッグカバーを形成するための第１実施の形態の平坦状の平らなプレカット材料部を示す図である。
【図１１ｂ】図３ａ及び図３ｂにおける柔軟なエアバッグカバーを形成するための第２実施の形態の平坦状の平らなプレカット材料部を示す図である。
【図１２ａ】図４ａ及び図４ｂにおける柔軟なエアバッグカバーを形成するための第１実施の形態の平坦状の平らなプレカット材料部を示す図である。
【図１２ｂ】図４ａ及び図４ｂにおける柔軟なエアバッグカバーを形成するための第２実施の形態の平坦状の平らなプレカット材料部を示す図である。
【図１３】図５ａ及び図５ｂにおける柔軟なエアバッグカバーを形成するための一実施の形態の平坦状の平らなプレカット材料部を示す図である。
【図１４】図６ａ及び図６ｂにおける柔軟なエアバッグカバーを形成するための一実施の形態の平坦状の平らなプレカット材料部を示す図である。
【図１５ａ】図１に示す種類のエアバッグモジュールを備えた車両ステアリングホイールを示す図である。
【図１５ｂ】図１５ａの構成の変更例を示す図である。
【図１６ａ】図１のエアバッグモジュールの変更例を、エアバッグモジュールが装着されるステアリングホイールとともに示す図である。
【図１６ｂ】図１６ａの構成をエアバッグモジュールの装着状態にて示す図である。
【図１６ｃ】図１６ｂの構成の変更例を示す図である。
【発明を実施するための形態】
【００２４】
図１には、車両用のエアバッグモジュールの分解斜視図が示されており、このエアバッグモジュールは、その上にエアバッグモジュールが配置され車両に固定され得るモジュールラック１と、衝突事故の際に車両乗員を保護する機能を果たすガスクッションを形成するべく、エアバッグ膨張用のガスジェネレータ（「ガス発生器」ともいう）２５を備えるジェネレータアセンブリグループ２と、圧縮状態のエアバッグ包体の形態のエアバッグ３と、ジェネレータアセンブリグループ２の少なくとも一部とを収容するエアバッグカバー５を含む構成とされる。
【００２５】
図１に示すエアバッグモジュールは、車両のステアリングホイール内に装着される構成、より詳細には、ステアリングホイールのスポークが延在し、またいわゆるステアリングホイールハブが配置されるステアリングホイールの中央部に装着される構成とされる。これについては、更に図７，８及び図１５に基づいて、以下により詳細に説明される。
【００２６】
図１に示す種類の異なるエアバッグモジュールの以下の説明は、車両ステアリングホイールへの装着用にそれぞれ準備されるエアバッグモジュールの典型例のみとされる。特にエアバッグカバーの変更に関する実施形態によって説明される本発明は、別のエアバッグモジュールにも適用可能とされる。
【００２７】
図１に示すエアバッグモジュールの実施形態の場合には、モジュールラック１は、（円環状の）保持プレート１０（「保持手段」ともいう）によって形成されるとともに、モジュールラック１上には、エアバッグカバー５を固定する機能を果たすよう曲げられた外側リム（外周リム）１４が設けられている。更に、モジュールラック１には、ここでは固定開口の形態の固定部１２が設けられており、モジュールラック１にジェネレータアセンブリグループ２を固定するべく、ジェネレータアセンブリグループ２のうち、ここでは固定ボルトの形態の固定要素２２が固定部に係合可能とされる。従って、ジェネレータ側の固定要素２２は、ポット形状のガスジェネレータの形態のガスジェネレータ２５を収容するジェネレータラック２０に配置されている。
【００２８】
例えばジェネレータ側の固定ボルト又はネジボルトの形態の固定要素２２が、モジュールラック側の固定開口の形態の固定部１２に係合して、図示省略の取り付けナットによって固定されるようにして、ジェネレータアセンブリグループ２がジェネレータ側の固定要素２２を介してモジュールラック１に適正に固定されると、そのときジェネレータアセンブリグループ２は、そのジェネレータラック２０がモジュールラック１の保持プレート１０に対して保持され（当接ないし位置決めされ）、またガスジェネレータ２５は、モジュールラック１の（円形状の）凹部（「開口部」ともいう）１５に係合する。
【００２９】
衝突事故発生の際にガスジェネレータ２５によって膨張するエアバッグ３は、エアバッグ３を圧縮してコンパクト化する手段、例えば折り畳み、詰め込み、又は他の適正な手段によって、エアバッグモジュールに装着されるエアバッグ包体へと圧縮される。従って、このエアバッグ包体は、ガスジェネレータ２５がガス発生部（ガス流出開口を有する部位）において突出する（断面が円形状の）凹部（「開口部」ともいう）３５を備え、これにより衝突事故発生の際にガスジェネレータ２５から放出されたガスは、エアバッグ３内へと速やかに流入可能とされる。
【００３０】
エアバッグカバー５は、柔軟（「可撓性を有する」ともいう）で、且つ伸縮自在な材料から製造され、エアバッグ３をガスジェネレータ２及びモジュールラック１とともに収容する機能を果たし、これによりこれらの要素は、エアバッグアセンブリグループとして、車両に、ここでは特に車両ステアリングホイールに装着される。
【００３１】
エアバッグカバー５は、ここでは円形の（本実施の形態では、ほぼ環状の）外周シェル部６と、シェル部６の前方側ないし前面側に設けられたカバー部７とを備え、これによりシェル部６及びカバー部７は、互いにエアバッグ３及びジェネレータアセンブリグループ２及びモジュールラック１のために本質的にポット形状の凹部を形成する。
【００３２】
以下に図２ａ及び図２ｂによって更に記載されるように、エアバッグカバー５は、その柔軟性及び弾性のため、エアバッグカバー５が回転によってエアバッグ３（及びジェネレータアセンブリグループ２及びモジュールラック１）の上方にて折り返されるように、エアバッグ３（及びジェネレータアセンブリグループ２及びモジュールラック１）用の指定の収容体として構成可能とされる。
【００３３】
また、エアバッグカバー５は、その柔軟性及び弾性のため、エアバッグ包体３を圧縮してコンパクト化し、及び／又はエアバッグ包体を圧縮状態で、特にコンパクト化された状態で保持する機能を果たすことが可能とされる。このため、エアバッグ３は、エアバッグカバー５によって、シェル部６及び／又はカバー部７上において、より具体的には内面６ｉ又は７ｉ上にて支持可能とされる。これにより、エアバッグ３は、同時に柔軟なエアバッグカバーに所定形状を押し付ける、或いはエアバッグカバーの成形された形状を安定化させることに寄与する。
【００３４】
柔軟なエアバッグカバー５は、特に図１１ａから図１４によって以下に説明されるように、１つ又はそれよりも多くの（平坦状の平らな）プレカット材料部（「予め材料がカットされた部分」ともいう）からなり、当該材料部は、均質化のため、且つ、エアバッグカバーの触感を最適化するために、必要に応じて、発泡材料又は別の（柔軟な）パネル材料で形成される。このことは特に、エアバッグカバー又はエアバッグモジュールが、車両に予定のように規定の状態で装着され、したがって車内で（車両乗員に）視認可能とされた場合に、エアバッグカバーの当該材料部に対して、例えばいわゆる可視面を形成するカバー部７に対して当てはまる。
【００３５】
少なくとも１つのプレカット材料部の領域は、１又は複数のプレカット材料部からエアバッグカバー５を形成するために、接続部(「接続箇所」ないし「接続位置」ともいう)を介して互いに接続され、保護される車両乗員に向かうエアバッグ３の展開及び膨張を許容する開口部をエアバッグカバー５に設けるために、接続部の少なくとも一部は、エアバッグ３の膨張及び展開の間に分離可能（破裂可能）な接続部として構成される。
【００３６】
エアバッグカバー５の柔軟性及び弾性のため、衝突事故の際に展開するエアバッグ３は、エアバッグカバー５の開口部の開放前においても制限された範囲での膨張が可能とされる。これは、必要に応じて、エアバッグ３の展開プロセスを最適化するのに用いることができる。
【００３７】
図１，図２ａ及び図２ｂによって明確化されるように、柔軟で伸縮可能なエアバッグカバー５は、エアバッグカバー５が最初に図２ａに示されるような回転状態（裏返し状態）又は折り返し状態となるように、モジュールラック１に固定可能とされ、（図１に示すように）予定のように規定状態に配置されたエアバッグカバー５の内壁部（内面）６ｉ，７ｉによって折り返し状態のエアバッグカバー５の外壁部（従って、シェル部６及びカバー部７の外壁部）を形成する一方で、（図１に示すように）予定のように規定状態に配置されたエアバッグカバー５の外壁部（外面）６ａ，７ａによって、折り返し状態のエアバッグカバー５の内壁部が形成される。
【００３８】
例えば、図５ａ及び図５ｂ、また図６ａ及び図６ｂに示すような幾つかの実施形態では、エアバッグ３を例えば縫い目（継ぎ目）の形態の適切な接続部３２を介して、エアバッグカバー５、特にそのカバー部７に固定するよう構成され、この接続は、図２に示すように、エアバッグ化バー５が折り返された状態、すなわち当該エアバッグカバーが再び回転されて（裏返されて）エアバッグ３を覆って折り返される前の状態において有利に行なわれる。
【００３９】
従って、図２ａによれば、エアバッグ３は、接続部３２を介してエアバッグカバー５にすぐに当接するのではなく、引き続き更なる別の接続部８２によってエアバッグカバー５に、即ちそのカバー部７に固定される中間層８に当接する。すなわち、この中間層８は、エアバッグカバー５のカバー部７とエアバッグ３との間に延在している。
【００４０】
図２ａに示す状態では、エアバッグは、最初は未だエアバッグ包体へと圧縮されていない。図２ａ及び図２ｂに示す実施形態では、エアバッグ３を接続部３２、中間層８、及び折り畳み又は襞付けによる別の接続部８２を介してモジュールカバー５に接続した後においてのみ、この圧縮が行われる。
【００４１】
図１、図２ａ及び図２ｂによれば、更に、エアバッグカバー５が、カバー部７から離間する反対側の（開口）自由端面に固定手段を備えることが示されており、当該固定手段は、ここではエアバッグカバー５をモジュールラック１に固定する機能を果たす、シェル部６まわりを一周する（例えば、プラスチック材料からなる）装着リングの形態の固定手段とされている。
【００４２】
エアバッグ包体へと圧縮されたエアバッグ３をエアバッグカバー５の中に詰め込むために、柔軟性及び弾性の利用により図２ａで矢印によって示されるように、圧縮されたエアバッグ３が回転され（裏返され）、また折り返され、このためエアバッグカバー５、より詳しくはそのシェル部６は、モジュールラック１の方向に所定荷重が付加されることによって軸方向に関し拡張ないし伸長し、エアバッグカバー５、より詳しくはそのシェル部６は、図２ｂが参照されるように、（プラスチック材料によって製造された帯状部材の形態の）装着リングの端部が、モジュールラック１及びその曲げられたリム部（外側リム）１４まわりに突出する。エアバッグカバー５をモジュールラック１（保持手段）に固定するために、装着リング４（「固定手段」ないし「固定リング」ともいう）が設けられたエアバッグカバー５の自由端部、或いは図２ｂにおけるシェル部６は、最後にもう一度内側に回転され（エアバッグカバー全体が折り返され）、これにより装着リング４は、モジュールラック１の折り曲げられた湾曲したリム部１４の内面に直面して延在する。
【００４３】
エアバッグカバー５が装着リング４を介してモジュールラック１へ二次元的に固定されるため、当該装着リングを縫い目又は別の種類の手段によってエアバッグカバー５の内壁部に有利に固定することができ、それに応じて一様に二次元的な荷重伝達が生じ、これによりエアバッグカバー５及びモジュールラック１が互いに固定された領域においては、エアバッグカバー５全体に一定の十分な張力が生じる。
【００４４】
エアバッグカバー５の回転（裏返し）によって、エアバッグ包体としてのエアバッグ３の挿入（同時にエアバッグカバー５内へのモジュールラック１及びジェネレータアセンブリグループ２の挿入）が終了した後は、特に図１及び図２ｂに示されているように、特にその外壁部６ａ，７ａは再び外側に配置され、またその内壁部６ｉ，７ｉが再び内側に配置される。
【００４５】
図２ｂに点線として図示されるように、エアバッグカバー５の内側に、特にはそのシェル部６の前面に必要に応じて、（本質的に形状が安定化し環状に一周する）側壁部１６を設けることができ、当該側壁部は、（その上側カバー領域で開放される部位として）エアバッグ包体を（環状に）取り囲み、またそのカバー部７に至るまで突出可能とされる。このため、エアバッグカバーの外形の更なる安定化が達成できる。そのような側壁部１６は、またモジュールラック１と一体状の構成要素（例えば、ワンピース構造）を形成することができ、或いは一方では、モジュールラック１に接続可能な分離部分として構成することが可能とされる。
【００４６】
図３ａから図６ｂには、即ち図３ａ，図４ａ，図５ａ及び図６ａのそれぞれの場合の側面視においては、エアバッグカバー５の別実施の形態が図示されており、このためエアバッグカバー５内へ挿入されたエアバッグ３は、それぞれの場合において点線で示されており、また図３ａ，図４ａ，図５ａ及び図６ａのそれぞれの場合には、各エアバッグカバーのシェル部６の断面にて示されており、このためエアバッグカバーは図示されていない。
【００４７】
図３ａ及び図３ｂ、又は図４ａ及び図４ｂの２つの実施形態は、それぞれの場合に、各エアバッグカバー５のカバー部７が、所定の補助領域において、例えば縫い目ないし継ぎ目の形態の強固で分離不能な接続部７２を介してエアバッグカバー５のシェル部６に常時に接続される実施形態に関するものである。それとは対照的に、別の補助領域では、各カバー部７は、例えば破断縫い目ないし破断継ぎ目の形態の少なくとも１つの分離可能な接続部７４を介してシェル部６に接続されている。これにより、カバー部７とシェル部６との間の接続は、各エアバッグカバー５の内部に配置されたエアバッグ３の膨張及び展開の間に、部分的に、即ち分離可能な接続部７４においては解除され、また別の部位、即ち常時接続部７２においては維持されることとなる。従って、図３ａ及び図４ａにそれぞれ示すように、接続部７２は、エアバッグ３の膨張及び展開の間において、エアバッグカバー５のカバー部７の開放を許容するヒンジ（ちょうつがい）を形成する。
【００４８】
一方で図３ａ，３ｂの実施形態と、他方で図４ａ，４ｂの実施形態とでは、各シェル部６の構成が異なっている。
【００４９】
図３ａ，３ｂの場合には、シェル部６は、エアバッグ３を取り囲むシェルとして、その中に配置されたエアバッグ３の膨張及び展開の間には開放されないように構成されている。従って、図３ａ及び図３ｂの実施形態において、シェル部６は、１片の柔軟なプレカット材料部とされ、シェル部に配置されたエアバッグ３を環状に取り囲み、ここではエアバッグ３の膨張及び展開の間には分離可能とされない縫い目ないし継ぎ目の形態の常時接続部６２を介して両端部が互いに強固に接続されている。
【００５０】
これに比べて、図４ａ及び図４ｂの実施形態では、シェル部６は、エアバッグカバー５内に設けられたエアバッグ３の膨張及び展開の間に開放可能とされ、そのためここでは破断縫い目ないし破断継ぎ目の形態の、分離可能な接続部６４がシェル部に設けられている。従って、図４ａ及び図４ｂの実施形態では、シェル部６は、複数の（４つの）プレカット材料部からなり、それらプレカット材料部はそれぞれ、分離可能な接続部６４を介して端部にて互いに接続されている。
【００５１】
図３ａ，図３ｂ；図４ａ，図４ｂの変更例として、常時接続部及び分離可能な接続部６２，６４は、勿論、各シェル部６を形成するべく互いに組み合わせられることもでき、また、（２つの）端部が（破断縫い目ないし破断継ぎ目の形態の）分離可能な接続部を介して閉鎖された環状の１つのプレカット材料部のみから、拡張するシェル部６を形成することもできる。
【００５２】
図５ａ，５ｂ及び図６ａ，６ｂの実施形態の場合には、図３ａから図４ｂの実施形態とは異なり、各エアバッグカバーのカバー部７は、該当するシェル部６に対し専ら分離可能に接続され、即ち、ここでは破断縫い目ないし破断継ぎ目の形態の分離可能な接続部７４を介して接続されており、これにより各カバー部７は、各エアバッグカバー５内に配置されたエアバッグ３の膨張及び展開の間に、該当するシェル部６から完全に分離される。該当するシェル部６からの分離後に、各カバー部７の動作が制御不能となるのを防止するべく、各カバー部７は、該当するエアバッグ３の一部に対し接続部３２を介して常時に接続されている（所定の中間層を介して直接的又は間接的に）。
【００５３】
一方で図５ａ，５ｂの実施形態と、他方で図６ａ，６ｂの実施形態とでは、図３ａ，３ｂ及び図４ａ，図４ｂの実施形態と同様に、各シェル部６の構成が異なっている。
【００５４】
図５ａ，５ｂの実施形態の場合には、図３ａ，図３ｂの実施形態の場合と同様に、該当するエアバッグ３の膨張及び展開の間に、シェル部６は開放しない。これに比べて、図６ａ，図６ｂの実施形態の場合には、図４ａ，図４ｂの実施形態に一致して、エアバッグ３を取り囲むシェル部分として、エアバッグ３の膨張及び展開の間に開放するシェル部５が設けられている。
【００５５】
図７には、図３ａ及び図３ｂにおけるエアバッグカバーの断面図が示されており、このエアバッグカバーは、ハブＮと、このハブから偏向されたスポークＳと、スポークＳに接続された環状のステアリングホイールリムＫとを有する車両ステアリングホイールＬ内に挿設されており、これによりエアバッグカバー５内に配置されたエアバッグ３を膨張させるためのガスジェネレータ２５が、ハブＮ上のステアリングホイール中央領域に設けられている。
【００５６】
図７の実施形態では、エアバッグ３は、既に大部分が膨張し及び展開しており、展開するエアバッグ３用の開口部を開放するべく、エアバッグカバー５がシェル部６に対するカバー部７の回転によって開放されている。
【００５７】
図７の実施形態では、これに対してシェル部６は、開放されておらず、エアバッグ３の膨張及び展開が生じた後も環状のシェル部を維持し、このため一方ではエアバッグ３の膨張及び展開の間に、その柔軟性及び弾性によって図７に示すように変形する。このため、径方向ｒ、即ちステアリング軸に平行に延在する軸方向ａと垂直な方向に関するエアバッグ３の側方展開を促進することができる。従って、エアバッグ３の膨張及び展開の間には、主展開軸方向ａに沿ってエアバッグが拡張することに加えて、それに垂直な径方向ｒに関してエアバッグ３の更なる拡張も許容される。
【００５８】
図７の構成の変更例では、図４ａ及び図４ｂに示されるようなエアバッグカバー５を使用することによって、エアバッグ３の膨張及び展開の間にエアバッグカバーのシェル部６が開放可能とされる。このため、図４ｂに示すように、シェル部６に該当する分離可能な接続部６４（破断縫い目ないし破断継ぎ目）が設けられなければならない。これによりエアバッグ３は、ガスジェネレータ２５による膨張時において、径方向の展開が更に促進される。
【００５９】
図８には、図７に示されるように、車両ステアリングホイールＬと、エアバッグカバー内に配置されたエアバッグ３を膨張させるためのガスジェネレータ２５とを備えるエアバッグカバーが再度示されており、即ち、エアバッグ３の大部分が既に膨張して展開した後の状態が示されている。
【００６０】
図８の構成は、図７に示す構成とは異なり、図５ａ及び図５ｂに示す種類のエアバッグカバー５に基づいており、従ってエアバッグ３の膨張及び展開の間にシェル部６から完全に分離し、また図５ａに示すような該当する接続部３２を介して、エアバッグ３、特に膨張及び展開の間に保護される車両乗員に向けて移動するエアバッグ部に対し常時に接続された状態を維持するカバー部７を備えている。エアバッグカバーのカバー部７に対して柔軟で柔らかい材料を使用するため、従って保護される車両乗員がそのカバー部によって怪我を被ることがない。実際は、カバー部７に対して適切な材料を使用することによって、エアバッグ３の保護効果を最適化することができる。
【００６１】
図８の構成の変更例として、図７の構成の場合のように、エアバッグ３の膨張及び展開の間に、即ち図６ｂに示すようにシェル部６に設けられた分離可能な接続部６４を使用することによってシェル部６が開放するように構成することもできる。
【００６２】
図９には、図４ｂ及び図６ｂに図示された種類のシェル部６に基づく断面が示されており、当該シェル部は、４つのプレカット材料部６０ａ，６０ｂ，６０ｃ，６０ｄからなり、これらプレカット材料部はその自由端領域において（破断縫い目ないし破断継ぎ目の形態の）接続部６４を介して互いに接続され、図９において各矢印で示されるような展開エアバッグの圧力作用下では、シェル部６は最初にその柔軟性及び弾性のため、接続部６４が分離される前に変形する。シェル部の柔軟性及び伸縮性に関するこれらの特性は、特にシェル部６によって環状に取り囲まれるエアバッグの膨張時の挙動を最適化するのに使用可能とされる。
【００６３】
図１０ａには、図９のシェル部６の変更例が示されており、ここではエアバッグカバーのシェル部６は、ここでは破断縫い目ないし破断継ぎ目の形態の分離可能な接続部６４によって固定されたループ（「環状部」ともいう）６１が部分的に配置されている。図１０ａにおいて外方へ向かう矢印によって示される展開エアバッグの圧力作用下では、シェル部６上の接続部６４が分離され、また（材料部分が集合した集合体を形成している）ループ６１は、図１０ｂに示すように、シェル部６のシェル面の一部に併合される。これにより、シェル部６によって取り囲まれた空間が拡大され、従ってシェル部内に配置されたエアバッグは径方向に関しより大きく拡張される。
【００６４】
図１０ａ及び図１０ｂによって示される実施形態の場合には、シェル部６は、断面が図示されているように、１片の（ワンピース構造の）柔軟なプレカット材料部６０によって形成されている。一方では、互いに接続された複数のプレカット材料部からなるシェル部６内で、ループ６１を使用することもできる。
【００６５】
次に例示された図１１ａ，図１１ｂ，図１２ａ，図１２ｂ，図１３及び図１４には、プレカット材料部の異なる変更例が示されており、それぞれの場合に柔軟なエアバッグカバー５を形成することができる。
【００６６】
従って、該当するプレカット材料部は、それぞれの場合に柔軟性材料、特に織物材料、十分な柔軟性を有するプラスチック材料（例えば、プラスチック製のフィルムないし箔の形態の材料）、十分に柔軟な皮革、或いは合成皮革、或いは伸縮性に関し有利とされ、また車室の設計に適合する比較的柔軟性の高い材料からなる。
【００６７】
図１１ｂ，図１２ａ，図１２ｂ，図１３及び図１４に示すように、エアバッグを製造するのに複数の別個のプレカット材料部を使用する場合、これらを異なる材料によって構成することもできる。
【００６８】
エアバッグカバーを形成するべく複数のプレカット材料部を接続するのに、既に何度も言及した縫い目ないし継ぎ目の他に、例えば接合（溶接）や接着を用いることもできる。
【００６９】
図１１ａから図１４における参照符号６２，７２は、プレカット材料部のうち、各エアバッグ内に配置されたエアバッグの膨張及び展開の間には分離されない領域間に設けられる常時接続部が示されている。これに対して、参照符号６４，７４は、該当するエアバッグ用の開口部を開放するべく、各エアバッグカバーにおけるエアバッグ展開圧力作用下で分離される１又は複数のプレカット材料部の間の分離可能な（破断可能な）接続部に関するものである。
【００７０】
図１１ａの実施形態では、所定のエアバッグカバー５を形成するべく、１片の平坦状の平らな材料部が設けられており、このエアバッグカバーは、シェル部６を形成するための第１のプレカット材料部６０と、エアバッグカバー５のカバー部７を形成するための第２のプレカット材料部７０を備えており、これにより２つのプレカット材料部６０，７０は、該当する接続領域６７を介して１片構造（ワンピース構造）として互いに接続される。この接続領域６７は、同時に、エアバッグの膨張及び展開の間にカバー部７の開放を許容するヒンジ領域（ちょうつがいとして構成される領域）を形成する。
【００７１】
シェル部６を形成する第１のプレカット材料部６０には、図１１ａに示されるプレカット材料部からエアバッグカバー５を形成するための円形部分が配置され、また、このプレカット材料部６０の自由端部同士が常時接続部６２を介して互いに接続される。その後、カバー部７を形成するプレカット材料部７０は、接続領域６７の外側において分離可能な接続部７４を介してシェル部６の前面側に接続される。
【００７２】
図１１ｂには、図１１ａのプレカット材料部の変形例が示されており、このプレカット材料部では、エアバッグカバー５のシェル部６及びカバー部７は、それぞれ個別のプレカット材料部６０又は７０によって形成される一方、ヒンジを形成するために強固な常時接続部７２を介して互いに接続される。
【００７３】
結果的に、各エアバッグ３の膨張及び展開の間には開放しないシェル部６と、折り返し可能なカバー部７とを備える、図３ａ及び図３ｂに示されるエアバッグカバー５において、図１１ａに示される種類の構成、及び図１１ｂに示される種類の構成が想到される。
【００７４】
図１２ａには、図１１ａの構成の変形例が示されており、ここでは複数のプレカット材料部６０ａ，６０ｂ，６０ｃによって、例えば３つのプレカット材料部によってシェル部６が形成可能とされ、当該プレカット材料部は分離可能な接続部６４によって互いに接続され、このためシェル部６を形成する１つのプレカット材料部（６０ｂ）は、カバー部７を形成する１つのプレカット材料部７０として接続領域６７を介して１片構造で接続され、一方でシェル部６を形成する別のプレカット材料部６０ａ，６０ｂは、分離可能な接続部７４を介して、カバー部７を形成するプレカット材料部７０に接続される。
【００７５】
図１２ｂには、図１１ｂの構成の変形例が示されており、ここではシェル部６は、複数のプレカット材料部６０ａ，６０ｂ，６０ｃによって形成され、その中の１つ（６０ｂ）は、該当する強固な接続部７２を介して、カバー部７を形成するプレカット材料部７０に接続され、またその他のプレカット材料部（６０ａ，６０ｃ）は、分離可能な接続部７４を介して単に接続される。
【００７６】
図４ａ及び図４ｂに示される種類のエアバッグカバーはそれぞれ、図１２ａの構成及び図１２ｂの構成によって形成され、エアバッグ３の膨張及び展開の間に開放するエアバッグ部６と、折り返し可能なカバー部７とを備えている。
【００７７】
図１３には、図１１ｂの構成の変形例が示されており、ここではエアバッグカバー５のカバー部７を形成する１片構造のプレカット材料部７０が、分離可能な接続部７４を介してエアバッグカバー５のシェル部６を形成するプレカット材料部６０の前面側に単独で接続される。これにより、図５ａ及び図５ｂに示される種類のエアバッグカバーが形成され、シェル部６は、エアバッグカバー５に配置されたエアバッグ３の膨張及び展開の間は閉鎖されたままとされ、一方でカバー部７は、シェル部６から完全に分離される。
【００７８】
最後に、図１４には、図１３の構成の変形例が示されており、ここではシェル部６は、複数の別体のプレカット材料部６０ａ，６０ｂ，６０ｃからなり、これらプレカット材料部は、それらの端部領域において分離可能な接続部６４を介して互いに接続される。これにより、図６ａ及び図６ｂに示される種類のエアバッグカバーでは、エアバッグカバー内に配置されたエアバッグ３の膨張及び展開の間に、シェル部６は接続部６４の分離によって開放されるとともに、カバー部７はシェル部６から完全に分離されることがわかる。
【００７９】
特に図１５ａ，図１５ｂ，図１６ａ及び図１６ｂによって示されるように、異なる原理で前述した種類の柔軟なエアバッグカバーは、異なる形状での製造が可能とされ、従って異なるエアバッグモジュールへの挿設が可能とされる。
【００８０】
図１５ａには、図１で説明したような種類の本質的に中空円筒状のエアバッグカバー５が示されており、このエアバッグカバーは、シェル部６とその前面側に設けられたカバー部７を備え、ステアリングホイールハブＮの上方の中央領域に２つのスポークを有する車両ステアリングホイールＬ上に配置されており、またステアリングホイールの中央領域に設けられたエアバッグモジュールＭ、従ってエアバッグとこのエアバッグを膨張させるためのガスジェネレータとを収容している。
【００８１】
そのようなエアバッグモジュールＭは、例えばスナップ接続又はラッチ接続によって、車両ステアリングホイールＬ上の骨格に接続され、またこれによりエアバッグモジュールＭ上に作用する所定荷重によってホーン機能が起動可能となるようにステアリングホイール骨格上に移動可能に配置され得る。
【００８２】
柔軟なエアバッグカバー５上に、特にはそのカバー部７上にロゴを設けることができ、当該ロゴは、エアバッグモジュールＭが配置される車両の製造業者、及び／又はエアバッグモジュールＭの製造業者を示す。そのようなロゴは、（例えば、刻印、編み込み、打印によって）エアバッグモジュールＭの材質に一体状に形成可能とされ、或いはエアバッグカバーとは別部品（例えば、柔らかい材料、弾性を有する材料、或いは柔軟性ないし可撓性を有する材料）として構成可能とされ、或いは、例えば強固な接続部６２の領域でシェル部６上に縫合されてエアバッグカバー５からロゴフラッグとして突出可能とされる。
【００８３】
図１５ａの変形例である図１５ｂによれば、エアバッグモジュールＭはその断面が本質的に三角形とされ、該当する柔軟なエアバッグカバー５には、３つのスポークを有するステアリングホイールが有利に設けられ、このため当該エアバッグカバーの角部のそれぞれに３つのスポークＳがそれぞれ割り当てられている。
【００８４】
図１６ａ及び図１６ｂには、図１及び図１５ａの構成から幾何学構造について変更された実施形態の分解図及び斜視図が示されており、このためモジュールラック１’及びモジュールカバー５’の幾何学形状が主な相違点とされる。これらは、図１６ａ及び図１６ｂの構成では、２つのスポークを有する車両ステアリングホイールＬの２つのスポークＳを本質的に完全に被覆するように（ステアリングホイールリムＫによって規定される所定平面に沿って）長めに構成されており、これは特に図１６ａ及び図１６ｂによって明確化される。
【００８５】
図１６ａ及び図１６ｂには、環状に一周するステアリングホイールリムＫと、２つのスポークＳを介してステアリングホイールリムＫに接続されたステアリングホイール中央領域のハブＮとを備える車両ステアリングホイールＬが詳細に示されている。
【００８６】
ステアリングホイールスポークＳは、ステアリングホイールＬに直接的に組み付けられ、従ってステアリングホイール骨格の一部を形成し、また別個の被覆物又は収容体を備えておらず、これは、その被覆機能ないし収容機能が、エアバッグカバーＭ、及び特に図１６ａ及び図１６ｂの実施形態のエアバッグカバー５によって兼務されているからである。従って、一方でエアバッグモジュールＭのモジュールラック１’は、ステアリンホイールＬのうち運転者に向かう上面に関し、ステアリングホイールＬの２つのスポークの骨格を本質的に完全に被覆するように長尺状に構成されている。モジュールラック１’には、一方では、複数の固定開口の形態の固定部１２が設けられ、当該固定部は、ジェネレータアセンブリグループ２を、固定開口に係合する固定ボルトの形態の固定要素２２を介してジェネレータ側に固定する機能を果たし、また他方では、ジェネレータアセンブリグループ２の（ポット形状の）ガスジェネレータ２５の一部のための開口部１５が設けられている。
【００８７】
本実施の形態において、ジェネレータラック２０から突出するジェネレータ側のこれら複数の固定要素２２は、それに応じて例えば挿通開口の形態の固定部を設けることによって、ステアリングホイール中央領域にエアバッグモジュールＭを固定する機能も同時に果たすこともでき、その挿通開口に対し、ジェネレータ側のねじボルトの形態の固定要素が係合し、また図示されていない取り付けナットによって固定される。モジュールラック１’は、固定開口の形態のその固定部１２に固定ボルトの形態のジェネレータ側の固定要素２２が挿通され、（ハブＮの上方で）ジェネレータラック２０とステアリングホイール中央領域との間に挟み込まれてクランプされる。
【００８８】
図１６ａ及び図１６ｂの実施形態では、エアバッグモジュールのエアバッグ３は、長尺状のエアバッグ包体へと圧縮され、このエアバッグ包体の外側境界部がモジュールラック１’の長尺形状に適合されている。
【００８９】
図１６ａ及び図１６ｂによれば、環状に一周するシェル部６と、シェル部６のうち車両乗員に向かう前面側をシールするカバー部７とを有する柔軟なエアバッグカバー５’は、モジュールラック１’、ジェネレータアセンブリグループ２及びエアバッグ３からなるエアバッグアセンブリグループを被覆する機能を果たし、このためエアバッグカバー５’は、エアバッグモジュールが予定のように規定状態で車両に装着された際に、エアバッグ３及びジェネレータアセンブリグループ２のみならず、モジュールラック１’及びステアリングホイールスポークＳもまた被覆するように構成され、これによりステアリングホイールに直面して着座している運転者によって視認可能とされない。
【００９０】
図１６ｃには、エアバッグカバー５’の特定の構成に関し、図１６ａ及び図１６ｂの実施形態の変形例が示されており、当該エアバッグカバーは、図１６ｃの実施形態においても、本質的に車両ステアリングホイールＬのスポークＳを被覆するように長尺状に構成されており、一方で図１６ｃのエアバッグカバー５’では、図１６ａ及び図１６ｂのエアバッグカバーとは異なり、長尺延在方向（長尺軸）に関しては非対称とされている。
【００９１】
従って、柔軟性を有し、また必要に応じて伸縮性を有する（柔らかい）材料をエアバッグカバーに使用することによって、車両周辺部、例えば運転者用エアバッグモジュールの場合のステアリングホイールに視認可能な隙間（ギャップ）が形成されるのを防止するという可能性が新たに生じ、また更には、エアバッグカバーにおいて運転者に視認されない破断継ぎ目が形成され、エアバッグの膨張及び展開の間に、エアバッグ拡張用の開口部を開放するべく当該継ぎ目に沿って破断する。
【００９２】
更に、軽量で柔軟性を有する材料からなるエアバッグカバーは、低圧下での開放が可能とされ、従って適用されるガスジェネレータに対する要求が低減され、また特に低温又は特に高温の場合に好ましくは変形量が低くなるような使用材料を選択することができる。
【００９３】
先述のエアバッグカバーの実施形態ではそれぞれ、各エアバッグカバーが１又は複数の柔軟なプレカット材料部からなり、それらは柔軟なカバーを形成するべく規定の材料部に沿って、特にはリム部に沿って互いに接続されるように特徴付けられており、このため接続部は、エアバッグモジュールのエアバッグの膨張及び展開の間のその抵抗特性に関しては、膨張時にエアバッグ展開用の開口部を開放するべく、接続部の少なくとも一部が分離される（緩められる）ように特徴付けられる。
【００９４】
複数のプレカット材料部の場合には、共にエアバッグカバーを形成する各々のプレカット材料部に異なる材料を使用することができ、それぞれの場合にエアバッグカバーの各部位の機能が適合される。従って、エアバッグカバーのうち装飾に関し視認可能な領域のカバー部に対して異なる材料が使用可能とされ、またエアバッグカバーのシェル部（シェル部分）については別の材料特性が適合可能とされる。
【００９５】
従って、柔軟なエアバッグカバーは、好ましくはエアバッグモジュールの外側カバーを形成し、柔軟なエアバックカバーがキャップとエアバッグとの間に中間層を単に形成する場合には、エアバッグモジュールを取り囲む追加のキャップを要しない。実際には、複数タイプのモジュール、例えば運転者用モジュール及び乗員用モジュールが、少なくとも車両乗員が視認可能な部位、即ち少なくともそのカバー部にある場合には、柔軟なエアバッグカバーが各エアバッグモジュールの外側カバーを有利に形成する。従って、車室内において視認可能とされる視認可能面の事（特に、少なくともカバー部の場合）とされる。
【００９６】
そのようなエアバッグカバーを製造するために、先ず最初に、その後でエアバッグカバーを形成するべく互いに固定される（平坦状の平らな）プレカット材料部が準備され、またエアバッグカバーをモジュールラックに対し後ほど固定するための適切な固定手段が用いられる。前述の順序とは異なり、複数のプレカット材料部の接続前に、少なくとも１つのプレカット材料部に固定手段を取り付けることもできる。
【００９７】
改良として、各プレカット材料部の少なくとも一部が、追加の方法ステップで処理可能とされ、例えばプレカット材料部によってエアバッグカバーのカバー部を形成し、（圧力及び／又は温度の作用による）形状成形処理を行ない、これにより一方では材料の柔軟性が維持され、三次元の基本形状が形成される。
【００９８】
エアバッグを、必要に応じてエアバッグモジュールの更なる別の構成要素、例えばジェネレータアセンブリグループ及び／又はモジュールラックのような構成要素とともに、エアバッグカバー内へと圧縮するために、先ず最初に柔軟なエアバッグカバーが一度折り返され、これにより通常は視認可能なエアバッグカバーの外壁部が内側に向かい、またその反対に内壁部が外側に向かい、その後エアバッグカバーに収容されたエアバッグは、必要に応じて、補助領域（例えば、その上部プレート）で中間層を介してエアバッグカバーの一部、特にそのカバー部に接続可能とされる。
【００９９】
次の製造ステップでは、エアバッグカバーに収容されたエアバッグは、例えば折り畳み及び／又は襞付けによって圧縮され、またその後にエアバッグカバーは、圧縮されたエアバッグ包体を覆うように外側への回転によって折り返され、これにより柔軟なエアバッグカバーの外壁部及び内壁部も再び外側に向かう。
【０１００】
最後に、エアバッグカバーは、例えばモジュールラックや別の車両構成要素としての保持部に対し、そこに設けられた例えば（環状に一周する）固定バンドの形態の固定手段を介して固定され、このためエアバッグカバーのうちエアバッグカバーのカバー部（上部側）とは反対側の前面側（底部側）において固定が生じ、このため固定手段を適切に（正確に）配置することによって、同時にエアバッグカバーの締め付けも可能とされる。
【０１０１】
このため、特にエアバッグカバーが新たに緩むこと無くエアバッグカバーの張力を吸収可能となるように、該当する保持部に対してエアバッグカバーが固定される。これは、予め組み付けられたエアバッグモジュールとして車両に装着されるべく予め組み付けるエアバッグモジュール内において、エアバッグがモジュールラックと共に予めモジュールラックに装着されるときに特に重要とされる。車両へのエアバッグモジュールの装着の間に、エアバッグカバーが最終的に車両に固定されると、車両衝突時のエアバッグの膨張及び展開の際にエアバッグカバーに作用する荷重によって、柔軟なエアバッグカバーが１又は複数の該当する保持部（保持部品）から故意無く分離されないように構成されなければならない。
【０１０２】
異なる柔軟なエアバッグカバーが、（車両ステアリングホイールに組み付けられる）運転者用エアバッグモジュールとして使用される実施例によって前述したが、そのような柔軟なエアバッグカバーは、例えば、助手席用、側面用、頭部用、頭部−胸部用、膝部用、また別のエアバッグモジュールのような別の種類のモジュールにも使用可能とされる。特に、エアバッグモジュールにおいて、１又は複数の車両乗員の視認可能領域にエアバッグカバーの少なくとも一部が配置されるようなエアバッグカバーが有利とされ、これにより柔軟なエアバッグカバーを設計する実現性が明確化される。
【０１０３】
水平状、直線状、又は規定曲線に沿ってエアバッグカバーの延在面が形成されるように、特にエアバッグカバーにおける非水平／うねりを回避するように、エアバッグカバー又はエアバッグカバー材料は、柔軟性を有し、また必要に応じて伸縮可能とされ、従って柔軟性を有する場合に有利とされ、適正な（張力）荷重がエアバッグカバーに作用する。これは同時に、エアバッグカバー内に形状成形の形態で配置されたエアバッグ包体にも作用し得る。
【０１０４】
エアバッグカバーの拘束力は、例えばモジュールラックのような少なくとも１つの保持部への固定の際に固く結合されることによって生じる。従って、作用する張力荷重は、例えばエアバッグカバーに使用される材料の柔軟性、柔らかさ及び弾性、エアバッグカバーの締め付け及び締め付け解除、伸縮及び伸縮解除、拡張の比率のような異なる因子、またコンパクト化されたエアバッグ包体の圧縮度合いなどに依存する。そのような影響因子を調節することによって、異なる柔軟性材料、例えば織物材料、プラスチック材料（特にはフィルムの形態）、皮革、合成皮革などのように弾性が完全に異なる材料を、カバーに対して使用することが可能とされる。
【符号の説明】
【０１０５】
１，１’  モジュールラック
２  ジェネレータアセンブリグループ
３  エアバッグ
４  装着リング
５，５’  エアバッグカバー（モジュールカバー）
６  シェル部
６ａ  外面（外壁部）
６ｉ  内面（内壁部）
７  カバー部
７ａ  外面（外壁部）
７ｉ  内面（内壁部）
８  中間層
１０  保持プレート
１２  固定部
１４  外側リム（リム部）
１５  凹部
１６  側壁部
２０  ジェネレータラック
２２  固定要素
２５  ガスジェネレータ
３２  接続部
３５  凹部
６０，６０ａ，６０ｂ，６０ｃ，６０ｄ，７０  プレカット材料部
６１  ループ
６２，６４，７２，７４，８２  接続部
６７  接続領域
Ｋ  ステアリングホイールリム
Ｌ  車両ステアリングホイール
Ｍ  エアバッグモジュール
Ｎ  ハブ
Ｓ  スポーク
【図１】
2011513130.tif 000003
【図２ａ】
2011513130.tif 000004
【図２ｂ】
2011513130.tif 000005
【図３ａ】
2011513130.tif 000006
【図３ｂ】
2011513130.tif 000007
【図４ａ】
2011513130.tif 000008
【図４ｂ】
2011513130.tif 000009
【図５ａ】
2011513130.tif 000010
【図５ｂ】
2011513130.tif 000011
【図６ａ】
2011513130.tif 000012
【図６ｂ】
2011513130.tif 000013
【図７】
2011513130.tif 000014
【図８】
2011513130.tif 000015
【図９】
2011513130.tif 000016
【図１０ａ】
2011513130.tif 000017
【図１０ｂ】
2011513130.tif 000018
【図１１ａ】
2011513130.tif 000019
【図１１ｂ】
2011513130.tif 000020
【図１２ａ】
2011513130.tif 000021
【図１２ｂ】
2011513130.tif 000022
【図１３】
2011513130.tif 000023
【図１４】
2011513130.tif 000024
【図１５ａ】
2011513130.tif 000025
【図１５ｂ】
2011513130.tif 000026
【図１６ａ】
2011513130.tif 000027
【図１６ｂ】
2011513130.tif 000028
【図１６ｃ】
2011513130.tif 000029
【手続補正書】
【提出日】平成22年12月7日(2010.12.7)
【手続補正１】
【補正対象書類名】明細書
【補正対象項目名】全文
【補正方法】変更
【補正の内容】
【発明の詳細な説明】
【技術分野】
【０００１】
本発明は、請求項１に記載のエアバッグモジュールのエアバッグ包体を収容するエアバッグカバー、請求項１９に記載のそのようなエアバッグカバーの製造方法、また更には、請求項２３に記載の、エアバッグカバー内にエアバッグを配置する方法に関するものである。
【背景技術】
【０００２】
衝突事故の際に車両乗員を保護するべくガスで膨張し、従って例えば保護される車両乗員と車両の車体外胴との間で展開する車両用エアバッグモジュールのエアバッグを、少なくとも一部がエアバッグ包体をカップ形状に取り囲むエアバッグカバー内でエアバッグ包体が圧縮されるように収容することが知られている。
【０００３】
言及した種類の公知のエアバッグカバーは、典型的には本質的に寸法が安定化するように構成され（プラスチック材料で製造され）、最も限定された弾性キャップには、膨張時のエアバッグ展開用の開口部を開放するべく、エアバッグカバー内に配置されたエアバッグの膨張の間に、キャップが破断する破断構造が設けられている。
【発明の開示】
【発明が解決しようとする課題】
【０００４】
本発明の目的は、新規なエアバッグカバー、その製造方法、及びそのようなエアバッグカバーに、軽量で扱いが簡単なエアバッグの展開を支援するようにエアバッグ包体を組み付けるための方法を提供することである。
【課題を解決するための手段】
【０００５】
本発明によれば、エアバッグカバーに関するこの問題は、請求項１の特徴によって解決され、また方法に関しては、請求項１９及び２３の特徴によって解決される。
【０００６】
従って、エアバッグカバーは、柔軟な材料（ないし可撓性材料）、好ましくは伸縮性材料によって製造され、これにより（柔らかい）エアバッグカバーが、そのエアバッグカバー内に配置されるエアバッグ包体の形状に適合される。
【０００７】
そのようなエアバッグカバーは、例えば織物材料、プラスチック又は皮革から、簡便且つ軽量に形成することが可能であり、また従ってエアバッグカバーの各車両周辺部に、特には、車両に予定のように装着された際のエアバッグモジュールのエアバッグカバーの状態について言及すると（即ち、エアバッグ視認用の特別な手段を別途設けることのない車両の通常使用の場合に）、エアバッグカバーのうち車両の車内で（車両乗員に）視認可能とされる部位（いわゆる視認可能面）に有利に適用可能とされる。
【０００８】
エアバッグカバーは、所定の適正な手段によって互いに接続された１つ又はそれよりも多くのプレカット材料部（予めカットされた材料部分）から製造可能とされ、このため複数の接続部の幾つかは、エアバッグカバー内に配置されたエアバッグの膨張及び展開の際に分離可能な（開裂ないし破断する）接続部として構成され、これによりエアバッグの展開動作が特に影響を受け得る。
【０００９】
エアバッグの柔軟性、また必要に応じては弾性によって、エアバッグカバーの特定の接続が分離されたときにエアバッグの展開が可能となるのみならず、エアバッグカバーの特定の接続部の分離が未だ生じていない状態においても、エアバッグカバーの柔軟性、また必要に応じては弾性により、展開エアバッグが既に所定の膨張状態になり得る。
【００１０】
特に、エアバッグ包体を収容するエアバッグカバーの柔軟な壁部に、分離可能に固定された少なくとも１つのループを配置することも可能であり、このため膨張時のエアバッグ展開圧の作用下で、ループの固定が解除され、これによりそれに応じて各ループの領域でのエアバッグカバーの柔軟な壁部が増え、またエアバッグカバーの内部のエアバッグ包体の更なる膨張が許容され、また促進される。
【００１１】
本発明により形成された柔軟なエアバッグカバーと、エアバッグカバー内に組み入れられるエアバッグ包体とを所定の構造ユニット（エアバッグユニット）へと組み合わせるためには、従来技術において知られたようにカバー内へとエアバッグ包体を押圧する必要はなく、カバーはその柔軟性を用いることで回転によりエアバッグ包体を覆う折り返しが可能とされ、このため更に、エアバッグ包体まわりを一周する例えば弾性リングの形態の固定手段（特には、プラスチック製バンドによって形成されたもの）は、カバーの回転後にモジュールラック又は別の保持部に対してカバーを固定する機能を果たす。
【００１２】
更に、エアバッグは、特にエアバッグカバーの回転によりエアバッグ包体を覆って折り返されるエアバッグカバー内への配置前に、少なくとも一箇所でエアバッグカバーに、特にはエアバッグカバーのカバー部に接続されるように構成され得る。
【００１３】
この結果、エアバッグは、少なくとも一箇所でエアバッグカバーに、特にはエアバッグカバーのカバー部に既に接続された後にのみ、エアバッグ包体へと有利に圧縮され得る。
【００１４】
エアバッグとエアバッグカバーとが直接的に接続される必要はなく、この目的において、一方ではエアバッグカバーに接続され、他方ではエアバッグに接続される中間層を設けることもできる。
【００１５】
エアバッグがエアバッグカバー、特にカバー部に接続されることにより、更にエアバッグのうちエアバッグカバーに接続された部位とエアバッグカバーとの相対位置、特にはそのカバー部との相対位置が、ステアリングホイール内に組み付けられた乗員エアバッグモジュールの場合にも常に同一に維持されるという有利な点がある。
【００１６】
本発明の一実施の形態によれば、エアバッグカバーは、エアバッグ包体を取り囲むシェル部と、シェル部の前面側に設けられたカバー部とを有し、このためカバー部は、展開エアバッグ用の開口部を開放するべく、エアバッグの展開の間に少なくとも一部がシェル部から分離可能とされる。
【００１７】
そのため、一方では、少なくとも一部がシェル部に接続されたエアバッグの展開後においても、エアバッグカバーのカバー部がとどまり、即ちカバー部がシェル部に強固に接続されている（破断することができない）。他方では、エアバッグカバーは、そのカバー部が分離可能又は破断可能な接続部によって独占的にシェル部に接続されるよう構成可能とされ、これによりエアバッグカバー内に配置されたエアバッグの膨張及び展開の間に、エアバッグカバーのカバー部がシェル部から完全に分離される。エアバッグの膨張及び展開の間に車内へと展開されるエアバッグカバーのカバー部が制御されない場合を回避するべく、カバー部とエアバッグカバー内に配置されたエアバッグとの間に、（必要に応じ中間層を介して間接的に）長時間接続を継続する（耐久性の高い）接続部を形成可能とされる。
【００１８】
エアバッグカバー、特にエアバッグカバーのカバー部が柔軟で、従って比較的柔らかい構成であるため、その長時間接続を継続する接続部がエアバッグにおける車両乗員の怪我の危険性を抑え、エアバッグとそれに固定されたカバー部とを有するガスクッション装置の表面形状については、カバー部に柔軟な材料を適切に選択することによって、衝突事故発生の際の車両乗員の保護効果が更に最適化され得る。
【００１９】
柔軟な材料からなるエアバッグカバーは、衝突事故の際に膨張可能且つ展開可能なエアバッグ包体を収容する機能を果たすカバーのみを有利に形成する。特に形状が安定化したモジュール収容体内にともに収容される折り畳みエアバッグ包体の柔軟なケーシングの事とされ、柔軟なエアバッグカバーは、その膨張及び展開の前においては保護される車両乗員から離間する。従って、エアバッグ包体の収容体としての機能を有する柔軟なエアバッグカバーの外側に別のモジュール構成要素が設けられない。換言すれば、柔軟なエアバッグカバーは、少なくとも該当するエアバッグモジュールによって保護される車両乗員の方向に関し、また必要に応じて保護される車両乗員の方向への膨張の間にエアバッグが拡張する主展開方向の対角線方向に関し、該当するエアバッグ包体の最も外側のケーシングを形成するため有利とされる。
【００２０】
エアバッグカバーは、更に、圧縮された（特にはコンパクト化された）状態のエアバッグ包体としてエアバッグを保持する機能を果たし（一方でエアバッグがカバーによって、より具体的にはその内側に保持される状態とされ）、或いは少なくとも当該保持に寄与することが可能とされる。
【００２１】
柔軟なエアバッグカバーは、少なくとも１つの（平坦状の平らな）プレカット材料部から有利に形成可能とされ、少なくとも１つのプレカット材料部の領域が適切な接続部（少なくとも一部が分離可能又は破断可能な接続部として構成される）で互いに接続される。
【００２２】
本発明の更なる詳細及び有利な点は、図面に基づく以下の実施形態の記載によって明確化される。
【図面の簡単な説明】
【００２３】
【図１】柔軟なエアバッグカバーを備えたエアバッグモジュールの分解斜視図である。
【図２ａ】図１に示す種類のエアバッグカバーを、エアバッグモジュールのエアバッグを覆ってエアバッグカバー全体を回転させることによって折り返すための準備ステップを示す図である。
【図２ｂ】図１に示す種類のエアバッグカバーを、エアバッグモジュールのエアバッグを覆ってエアバッグカバー全体を回転させることによって折り返すための準備ステップを示す図である。
【図３ａ】図１に係る第１実施の形態の柔軟なエアバッグカバーを該当するエアバッグと共に示す側面図である。
【図３ｂ】エアバッグが省略された状態の図３ａの構成の断面図である。
【図４ａ】図１に係る第２実施の形態の柔軟なエアバッグカバーを、その中に配置されたエアバッグと共に示す側面図である。
【図４ｂ】エアバッグが省略された状態の図４ａの構成の断面図である。
【図５ａ】図１に係る第３実施の形態の柔軟なエアバッグカバーを、その中に配置されたエアバッグと共に示す側面図である。
【図５ｂ】エアバッグが省略された状態の図５ａの構成の断面図である。
【図６ａ】図１に係る第４実施の形態の柔軟なエアバッグカバーを、その中に配置されたエアバッグと共に示す側面図である。
【図６ｂ】エアバッグが省略された状態の図６ａの構成の断面図である。
【図７】ステアリングホイール内に組み付けられた図１に示す種類のエアバッグモジュールを、エアバッグが展開された状態にて示す図であって、柔軟なエアバッグカバーがヒンジ状のカバー部を有する。
【図８】ステアリングホイール内に組み付けられた図１に示す種類のエアバッグモジュールを、エアバッグが展開された状態にて示す図であって、エアバッグカバーは、エアバッグに強固に接続されたカバー部を有する。
【図９】複数のプレカット材料部が破断縫い目によって互いに接続された構成の柔軟なエアバッグカバーのシェル部の断面図である。
【図１０ａ】図９に示す実施形態の変更例であって、柔軟なエアバッグカバーのワンピース構造のシェル部において、複数のループが破断縫い目によって形成された構成を示す図である。
【図１０ｂ】図１０ａのシェル部が破断縫い目の分離後の状態にて示される図である。
【図１１ａ】図３ａ及び図３ｂにおける柔軟なエアバッグカバーを形成するための第１実施の形態の平坦状の平らなプレカット材料部を示す図である。
【図１１ｂ】図３ａ及び図３ｂにおける柔軟なエアバッグカバーを形成するための第２実施の形態の平坦状の平らなプレカット材料部を示す図である。
【図１２ａ】図４ａ及び図４ｂにおける柔軟なエアバッグカバーを形成するための第１実施の形態の平坦状の平らなプレカット材料部を示す図である。
【図１２ｂ】図４ａ及び図４ｂにおける柔軟なエアバッグカバーを形成するための第２実施の形態の平坦状の平らなプレカット材料部を示す図である。
【図１３】図５ａ及び図５ｂにおける柔軟なエアバッグカバーを形成するための一実施の形態の平坦状の平らなプレカット材料部を示す図である。
【図１４】図６ａ及び図６ｂにおける柔軟なエアバッグカバーを形成するための一実施の形態の平坦状の平らなプレカット材料部を示す図である。
【図１５ａ】図１に示す種類のエアバッグモジュールを備えた車両ステアリングホイールを示す図である。
【図１５ｂ】図１５ａの構成の変更例を示す図である。
【図１６ａ】図１のエアバッグモジュールの変更例を、エアバッグモジュールが装着されるステアリングホイールとともに示す図である。
【図１６ｂ】図１６ａの構成をエアバッグモジュールの装着状態にて示す図である。
【図１６ｃ】図１６ｂの構成の変更例を示す図である。
【発明を実施するための形態】
【００２４】
図１には、車両用のエアバッグモジュールの分解斜視図が示されており、このエアバッグモジュールは、その上にエアバッグモジュールが配置され車両に固定され得るモジュールラック１と、衝突事故の際に車両乗員を保護する機能を果たすガスクッションを形成するべく、エアバッグ膨張用のガスジェネレータ（「ガス発生器」ともいう）２５を備えるジェネレータアセンブリグループ２と、圧縮状態のエアバッグ包体の形態のエアバッグ３と、ジェネレータアセンブリグループ２の少なくとも一部とを収容するエアバッグカバー５を含む構成とされる。
【００２５】
図１に示すエアバッグモジュールは、車両のステアリングホイール内に装着される構成、より詳細には、ステアリングホイールのスポークが延在し、またいわゆるステアリングホイールハブが配置されるステアリングホイールの中央部に装着される構成とされる。これについては、更に図７，８及び図１５に基づいて、以下により詳細に説明される。
【００２６】
図１に示す種類の異なるエアバッグモジュールの以下の説明は、車両ステアリングホイールへの装着用にそれぞれ準備されるエアバッグモジュールの典型例のみとされる。特にエアバッグカバーの変更に関する実施形態によって説明される本発明は、別のエアバッグモジュールにも適用可能とされる。
【００２７】
図１に示すエアバッグモジュールの実施形態の場合には、モジュールラック１は、（円環状の）保持プレート１０（「保持手段」ともいう）によって形成されるとともに、モジュールラック１上には、エアバッグカバー５を固定する機能を果たすよう曲げられた外側リム（外周リム）１４が設けられている。更に、モジュールラック１には、ここでは固定開口の形態の固定部１２が設けられており、モジュールラック１にジェネレータアセンブリグループ２を固定するべく、ジェネレータアセンブリグループ２のうち、ここでは固定ボルトの形態の固定要素２２が固定部に係合可能とされる。従って、ジェネレータ側の固定要素２２は、ポット形状のガスジェネレータの形態のガスジェネレータ２５を収容するジェネレータラック２０に配置されている。
【００２８】
例えばジェネレータ側の固定ボルト又はネジボルトの形態の固定要素２２が、モジュールラック側の固定開口の形態の固定部１２に係合して、図示省略の取り付けナットによって固定されるようにして、ジェネレータアセンブリグループ２がジェネレータ側の固定要素２２を介してモジュールラック１に適正に固定されると、そのときジェネレータアセンブリグループ２は、そのジェネレータラック２０がモジュールラック１の保持プレート１０に対して保持され（当接ないし位置決めされ）、またガスジェネレータ２５は、モジュールラック１の（円形状の）凹部（「開口部」ともいう）１５に係合する。
【００２９】
衝突事故発生の際にガスジェネレータ２５によって膨張するエアバッグ３は、エアバッグ３を圧縮してコンパクト化する手段、例えば折り畳み、詰め込み、又は他の適正な手段によって、エアバッグモジュールに装着されるエアバッグ包体へと圧縮される。従って、このエアバッグ包体は、ガスジェネレータ２５がガス発生部（ガス流出開口を有する部位）において突出する（断面が円形状の）凹部（「開口部」ともいう）３５を備え、これにより衝突事故発生の際にガスジェネレータ２５から放出されたガスは、エアバッグ３内へと速やかに流入可能とされる。
【００３０】
エアバッグカバー５は、柔軟（「可撓性を有する」ともいう）で、且つ伸縮自在な材料から製造され、エアバッグ３をガスジェネレータ２及びモジュールラック１とともに収容する機能を果たし、これによりこれらの要素は、エアバッグアセンブリグループとして、車両に、ここでは特に車両ステアリングホイールに装着される。
【００３１】
エアバッグカバー５は、ここでは円形の（本実施の形態では、ほぼ環状の）外周シェル部６と、シェル部６の前方側ないし前面側に設けられたカバー部７とを備え、これによりシェル部６及びカバー部７は、互いにエアバッグ３及びジェネレータアセンブリグループ２及びモジュールラック１のために本質的にポット形状の凹部を形成する。
【００３２】
以下に図２ａ及び図２ｂによって更に記載されるように、エアバッグカバー５は、その柔軟性及び弾性のため、エアバッグカバー５が回転によってエアバッグ３（及びジェネレータアセンブリグループ２及びモジュールラック１）の上方にて折り返されるように、エアバッグ３（及びジェネレータアセンブリグループ２及びモジュールラック１）用の指定の収容体として構成可能とされる。
【００３３】
また、エアバッグカバー５は、その柔軟性及び弾性のため、エアバッグ包体３を圧縮してコンパクト化し、及び／又はエアバッグ包体を圧縮状態で、特にコンパクト化された状態で保持する機能を果たすことが可能とされる。このため、エアバッグ３は、エアバッグカバー５によって、シェル部６及び／又はカバー部７上において、より具体的には内面６ｉ又は７ｉ上にて支持可能とされる。これにより、エアバッグ３は、同時に柔軟なエアバッグカバーに所定形状を押し付ける、或いはエアバッグカバーの成形された形状を安定化させることに寄与する。
【００３４】
柔軟なエアバッグカバー５は、特に図１１ａから図１４によって以下に説明されるように、１つ又はそれよりも多くの（平坦状の平らな）プレカット材料部（「予め材料がカットされた部分」ともいう）からなり、当該材料部は、均質化のため、且つ、エアバッグカバーの触感を最適化するために、必要に応じて、発泡材料又は別の（柔軟な）パネル材料で形成される。このことは特に、エアバッグカバー又はエアバッグモジュールが、車両に予定のように規定の状態で装着され、したがって車内で（車両乗員に）視認可能とされた場合に、エアバッグカバーの当該材料部に対して、例えばいわゆる可視面を形成するカバー部７に対して当てはまる。
【００３５】
少なくとも１つのプレカット材料部の領域は、１又は複数のプレカット材料部からエアバッグカバー５を形成するために、接続部(「接続箇所」ないし「接続位置」ともいう)を介して互いに接続され、保護される車両乗員に向かうエアバッグ３の展開及び膨張を許容する開口部をエアバッグカバー５に設けるために、接続部の少なくとも一部は、エアバッグ３の膨張及び展開の間に分離可能（破裂可能）な接続部として構成される。
【００３６】
エアバッグカバー５の柔軟性及び弾性のため、衝突事故の際に展開するエアバッグ３は、エアバッグカバー５の開口部の開放前においても制限された範囲での膨張が可能とされる。これは、必要に応じて、エアバッグ３の展開プロセスを最適化するのに用いることができる。
【００３７】
図１，図２ａ及び図２ｂによって明確化されるように、柔軟で伸縮可能なエアバッグカバー５は、エアバッグカバー５が最初に図２ａに示されるような回転状態（裏返し状態）又は折り返し状態となるように、モジュールラック１に固定可能とされ、（図１に示すように）予定のように規定状態に配置されたエアバッグカバー５の内壁部（内面）６ｉ，７ｉによって折り返し状態のエアバッグカバー５の外壁部（従って、シェル部６及びカバー部７の外壁部）を形成する一方で、（図１に示すように）予定のように規定状態に配置されたエアバッグカバー５の外壁部（外面）６ａ，７ａによって、折り返し状態のエアバッグカバー５の内壁部が形成される。
【００３８】
例えば、図５ａ及び図５ｂ、また図６ａ及び図６ｂに示すような幾つかの実施形態では、エアバッグ３を例えば縫い目（継ぎ目）の形態の適切な接続部３２を介して、エアバッグカバー５、特にそのカバー部７に固定するよう構成され、この接続は、図２に示すように、エアバッグ化バー５が折り返された状態、すなわち当該エアバッグカバーが再び回転されて（裏返されて）エアバッグ３を覆って折り返される前の状態において有利に行なわれる。
【００３９】
従って、図２ａによれば、エアバッグ３は、接続部３２を介してエアバッグカバー５にすぐに当接するのではなく、引き続き更なる別の接続部８２によってエアバッグカバー５に、即ちそのカバー部７に固定される中間層８に当接する。すなわち、この中間層８は、エアバッグカバー５のカバー部７とエアバッグ３との間に延在している。
【００４０】
図２ａに示す状態では、エアバッグは、最初は未だエアバッグ包体へと圧縮されていない。図２ａ及び図２ｂに示す実施形態では、エアバッグ３を接続部３２、中間層８、及び折り畳み又は襞付けによる別の接続部８２を介してモジュールカバー５に接続した後においてのみ、この圧縮が行われる。
【００４１】
図１、図２ａ及び図２ｂによれば、更に、エアバッグカバー５が、カバー部７から離間する反対側の（開口）自由端面に固定手段を備えることが示されており、当該固定手段は、ここではエアバッグカバー５をモジュールラック１に固定する機能を果たす、シェル部６まわりを一周する（例えば、プラスチック材料からなる）装着リングの形態の固定手段とされている。
【００４２】
エアバッグ包体へと圧縮されたエアバッグ３をエアバッグカバー５の中に詰め込むために、柔軟性及び弾性の利用により図２ａで矢印によって示されるように、圧縮されたエアバッグ３が回転され（裏返され）、また折り返され、このためエアバッグカバー５、より詳しくはそのシェル部６は、モジュールラック１の方向に所定荷重が付加されることによって軸方向に関し拡張ないし伸長し、エアバッグカバー５、より詳しくはそのシェル部６は、図２ｂが参照されるように、（プラスチック材料によって製造された帯状部材の形態の）装着リングの端部が、モジュールラック１及びその曲げられたリム部（外側リム）１４まわりに突出する。エアバッグカバー５をモジュールラック１（保持手段）に固定するために、装着リング４（「固定手段」ないし「固定リング」ともいう）が設けられたエアバッグカバー５の自由端部、或いは図２ｂにおけるシェル部６は、最後にもう一度内側に回転され（エアバッグカバー全体が折り返され）、これにより装着リング４は、モジュールラック１の折り曲げられた湾曲したリム部１４の内面に直面して延在する。
【００４３】
エアバッグカバー５が装着リング４を介してモジュールラック１へ二次元的に固定されるため、当該装着リングを縫い目又は別の種類の手段によってエアバッグカバー５の内壁部に有利に固定することができ、それに応じて一様に二次元的な荷重伝達が生じ、これによりエアバッグカバー５及びモジュールラック１が互いに固定された領域においては、エアバッグカバー５全体に一定の十分な張力が生じる。
【００４４】
エアバッグカバー５の回転（裏返し）によって、エアバッグ包体としてのエアバッグ３の挿入（同時にエアバッグカバー５内へのモジュールラック１及びジェネレータアセンブリグループ２の挿入）が終了した後は、特に図１及び図２ｂに示されているように、特にその外壁部６ａ，７ａは再び外側に配置され、またその内壁部６ｉ，７ｉが再び内側に配置される。
【００４５】
図２ｂに点線として図示されるように、エアバッグカバー５の内側に、特にはそのシェル部６の前面に必要に応じて、（本質的に形状が安定化し環状に一周する）側壁部１６を設けることができ、当該側壁部は、（その上側カバー領域で開放される部位として）エアバッグ包体を（環状に）取り囲み、またそのカバー部７に至るまで突出可能とされる。このため、エアバッグカバーの外形の更なる安定化が達成できる。そのような側壁部１６は、またモジュールラック１と一体状の構成要素（例えば、ワンピース構造）を形成することができ、或いは一方では、モジュールラック１に接続可能な分離部分として構成することが可能とされる。
【００４６】
図３ａから図６ｂには、即ち図３ａ，図４ａ，図５ａ及び図６ａのそれぞれの場合の側面視においては、エアバッグカバー５の別実施の形態が図示されており、このためエアバッグカバー５内へ挿入されたエアバッグ３は、それぞれの場合において点線で示されており、また図３ａ，図４ａ，図５ａ及び図６ａのそれぞれの場合には、各エアバッグカバーのシェル部６の断面にて示されており、このためエアバッグカバーは図示されていない。
【００４７】
図３ａ及び図３ｂ、又は図４ａ及び図４ｂの２つの実施形態は、それぞれの場合に、各エアバッグカバー５のカバー部７が、所定の補助領域において、例えば縫い目ないし継ぎ目の形態の強固で分離不能な接続部７２を介してエアバッグカバー５のシェル部６に常時に接続される実施形態に関するものである。それとは対照的に、別の補助領域では、各カバー部７は、例えば破断縫い目ないし破断継ぎ目の形態の少なくとも１つの分離可能な接続部７４を介してシェル部６に接続されている。これにより、カバー部７とシェル部６との間の接続は、各エアバッグカバー５の内部に配置されたエアバッグ３の膨張及び展開の間に、部分的に、即ち分離可能な接続部７４においては解除され、また別の部位、即ち常時接続部７２においては維持されることとなる。従って、図３ａ及び図４ａにそれぞれ示すように、接続部７２は、エアバッグ３の膨張及び展開の間において、エアバッグカバー５のカバー部７の開放を許容するヒンジ（ちょうつがい）を形成する。
【００４８】
一方で図３ａ，３ｂの実施形態と、他方で図４ａ，４ｂの実施形態とでは、各シェル部６の構成が異なっている。
【００４９】
図３ａ，３ｂの場合には、シェル部６は、エアバッグ３を取り囲むシェルとして、その中に配置されたエアバッグ３の膨張及び展開の間には開放されないように構成されている。従って、図３ａ及び図３ｂの実施形態において、シェル部６は、１片の柔軟なプレカット材料部とされ、シェル部に配置されたエアバッグ３を環状に取り囲み、ここではエアバッグ３の膨張及び展開の間には分離可能とされない縫い目ないし継ぎ目の形態の常時接続部６２を介して両端部が互いに強固に接続されている。
【００５０】
これに比べて、図４ａ及び図４ｂの実施形態では、シェル部６は、エアバッグカバー５内に設けられたエアバッグ３の膨張及び展開の間に開放可能とされ、そのためここでは破断縫い目ないし破断継ぎ目の形態の、分離可能な接続部６４がシェル部に設けられている。従って、図４ａ及び図４ｂの実施形態では、シェル部６は、複数の（４つの）プレカット材料部からなり、それらプレカット材料部はそれぞれ、分離可能な接続部６４を介して端部にて互いに接続されている。
【００５１】
図３ａ，図３ｂ；図４ａ，図４ｂの変更例として、常時接続部及び分離可能な接続部６２，６４は、勿論、各シェル部６を形成するべく互いに組み合わせられることもでき、また、（２つの）端部が（破断縫い目ないし破断継ぎ目の形態の）分離可能な接続部を介して閉鎖された環状の１つのプレカット材料部のみから、拡張するシェル部６を形成することもできる。
【００５２】
図５ａ，５ｂ及び図６ａ，６ｂの実施形態の場合には、図３ａから図４ｂの実施形態とは異なり、各エアバッグカバーのカバー部７は、該当するシェル部６に対し専ら分離可能に接続され、即ち、ここでは破断縫い目ないし破断継ぎ目の形態の分離可能な接続部７４を介して接続されており、これにより各カバー部７は、各エアバッグカバー５内に配置されたエアバッグ３の膨張及び展開の間に、該当するシェル部６から完全に分離される。該当するシェル部６からの分離後に、各カバー部７の動作が制御不能となるのを防止するべく、各カバー部７は、該当するエアバッグ３の一部に対し接続部３２を介して常時に接続されている（所定の中間層を介して直接的又は間接的に）。
【００５３】
一方で図５ａ，５ｂの実施形態と、他方で図６ａ，６ｂの実施形態とでは、図３ａ，３ｂ及び図４ａ，図４ｂの実施形態と同様に、各シェル部６の構成が異なっている。
【００５４】
図５ａ，５ｂの実施形態の場合には、図３ａ，図３ｂの実施形態の場合と同様に、該当するエアバッグ３の膨張及び展開の間に、シェル部６は開放しない。これに比べて、図６ａ，図６ｂの実施形態の場合には、図４ａ，図４ｂの実施形態に一致して、エアバッグ３を取り囲むシェル部分として、エアバッグ３の膨張及び展開の間に開放するシェル部５が設けられている。
【００５５】
図７には、図３ａ及び図３ｂにおけるエアバッグカバーの断面図が示されており、このエアバッグカバーは、ハブＮと、このハブから偏向されたスポークＳと、スポークＳに接続された環状のステアリングホイールリムＫとを有する車両ステアリングホイールＬ内に挿設されており、これによりエアバッグカバー５内に配置されたエアバッグ３を膨張させるためのガスジェネレータ２５が、ハブＮ上のステアリングホイール中央領域に設けられている。
【００５６】
図７の実施形態では、エアバッグ３は、既に大部分が膨張し及び展開しており、展開するエアバッグ３用の開口部を開放するべく、エアバッグカバー５がシェル部６に対するカバー部７の回転によって開放されている。
【００５７】
図７の実施形態では、これに対してシェル部６は、開放されておらず、エアバッグ３の膨張及び展開が生じた後も環状のシェル部を維持し、このため一方ではエアバッグ３の膨張及び展開の間に、その柔軟性及び弾性によって図７に示すように変形する。このため、径方向ｒ、即ちステアリング軸に平行に延在する軸方向ａと垂直な方向に関するエアバッグ３の側方展開を促進することができる。従って、エアバッグ３の膨張及び展開の間には、主展開軸方向ａに沿ってエアバッグが拡張することに加えて、それに垂直な径方向ｒに関してエアバッグ３の更なる拡張も許容される。
【００５８】
図７の構成の変更例では、図４ａ及び図４ｂに示されるようなエアバッグカバー５を使用することによって、エアバッグ３の膨張及び展開の間にエアバッグカバーのシェル部６が開放可能とされる。このため、図４ｂに示すように、シェル部６に該当する分離可能な接続部６４（破断縫い目ないし破断継ぎ目）が設けられなければならない。これによりエアバッグ３は、ガスジェネレータ２５による膨張時において、径方向の展開が更に促進される。
【００５９】
図８には、図７に示されるように、車両ステアリングホイールＬと、エアバッグカバー内に配置されたエアバッグ３を膨張させるためのガスジェネレータ２５とを備えるエアバッグカバーが再度示されており、即ち、エアバッグ３の大部分が既に膨張して展開した後の状態が示されている。
【００６０】
図８の構成は、図７に示す構成とは異なり、図５ａ及び図５ｂに示す種類のエアバッグカバー５に基づいており、従ってエアバッグ３の膨張及び展開の間にシェル部６から完全に分離し、また図５ａに示すような該当する接続部３２を介して、エアバッグ３、特に膨張及び展開の間に保護される車両乗員に向けて移動するエアバッグ部に対し常時に接続された状態を維持するカバー部７を備えている。エアバッグカバーのカバー部７に対して柔軟で柔らかい材料を使用するため、従って保護される車両乗員がそのカバー部によって怪我を被ることがない。実際は、カバー部７に対して適切な材料を使用することによって、エアバッグ３の保護効果を最適化することができる。
【００６１】
図８の構成の変更例として、図７の構成の場合のように、エアバッグ３の膨張及び展開の間に、即ち図６ｂに示すようにシェル部６に設けられた分離可能な接続部６４を使用することによってシェル部６が開放するように構成することもできる。
【００６２】
図９には、図４ｂ及び図６ｂに図示された種類のシェル部６に基づく断面が示されており、当該シェル部は、４つのプレカット材料部６０ａ，６０ｂ，６０ｃ，６０ｄからなり、これらプレカット材料部はその自由端領域において（破断縫い目ないし破断継ぎ目の形態の）接続部６４を介して互いに接続され、図９において各矢印で示されるような展開エアバッグの圧力作用下では、シェル部６は最初にその柔軟性及び弾性のため、接続部６４が分離される前に変形する。シェル部の柔軟性及び伸縮性に関するこれらの特性は、特にシェル部６によって環状に取り囲まれるエアバッグの膨張時の挙動を最適化するのに使用可能とされる。
【００６３】
図１０ａには、図９のシェル部６の変更例が示されており、ここではエアバッグカバーのシェル部６は、ここでは破断縫い目ないし破断継ぎ目の形態の分離可能な接続部６４によって固定されたループ（「環状部」ともいう）６１が部分的に配置されている。図１０ａにおいて外方へ向かう矢印によって示される展開エアバッグの圧力作用下では、シェル部６上の接続部６４が分離され、また（材料部分が集合した集合体を形成している）ループ６１は、図１０ｂに示すように、シェル部６のシェル面の一部に併合される。これにより、シェル部６によって取り囲まれた空間が拡大され、従ってシェル部内に配置されたエアバッグは径方向に関しより大きく拡張される。
【００６４】
図１０ａ及び図１０ｂによって示される実施形態の場合には、シェル部６は、断面が図示されているように、１片の（ワンピース構造の）柔軟なプレカット材料部６０によって形成されている。一方では、互いに接続された複数のプレカット材料部からなるシェル部６内で、ループ６１を使用することもできる。
【００６５】
次に例示された図１１ａ，図１１ｂ，図１２ａ，図１２ｂ，図１３及び図１４には、プレカット材料部の異なる変更例が示されており、それぞれの場合に柔軟なエアバッグカバー５を形成することができる。
【００６６】
従って、該当するプレカット材料部は、それぞれの場合に柔軟性材料、特に織物材料、十分な柔軟性を有するプラスチック材料（例えば、プラスチック製のフィルムないし箔の形態の材料）、十分に柔軟な皮革、或いは合成皮革、或いは伸縮性に関し有利とされ、また車室の設計に適合する比較的柔軟性の高い材料からなる。
【００６７】
図１１ｂ，図１２ａ，図１２ｂ，図１３及び図１４に示すように、エアバッグを製造するのに複数の別個のプレカット材料部を使用する場合、これらを異なる材料によって構成することもできる。
【００６８】
エアバッグカバーを形成するべく複数のプレカット材料部を接続するのに、既に何度も言及した縫い目ないし継ぎ目の他に、例えば接合（溶接）や接着を用いることもできる。
【００６９】
図１１ａから図１４における参照符号６２，７２は、プレカット材料部のうち、各エアバッグ内に配置されたエアバッグの膨張及び展開の間には分離されない領域間に設けられる常時接続部が示されている。これに対して、参照符号６４，７４は、該当するエアバッグ用の開口部を開放するべく、各エアバッグカバーにおけるエアバッグ展開圧力作用下で分離される１又は複数のプレカット材料部の間の分離可能な（破断可能な）接続部に関するものである。
【００７０】
図１１ａの実施形態では、所定のエアバッグカバー５を形成するべく、１片の平坦状の平らな材料部が設けられており、このエアバッグカバーは、シェル部６を形成するための第１のプレカット材料部６０と、エアバッグカバー５のカバー部７を形成するための第２のプレカット材料部７０を備えており、これにより２つのプレカット材料部６０，７０は、該当する接続領域６７を介して１片構造（ワンピース構造）として互いに接続される。この接続領域６７は、同時に、エアバッグの膨張及び展開の間にカバー部７の開放を許容するヒンジ領域（ちょうつがいとして構成される領域）を形成する。
【００７１】
シェル部６を形成する第１のプレカット材料部６０には、図１１ａに示されるプレカット材料部からエアバッグカバー５を形成するための円形部分が配置され、また、このプレカット材料部６０の自由端部同士が常時接続部６２を介して互いに接続される。その後、カバー部７を形成するプレカット材料部７０は、接続領域６７の外側において分離可能な接続部７４を介してシェル部６の前面側に接続される。
【００７２】
図１１ｂには、図１１ａのプレカット材料部の変形例が示されており、このプレカット材料部では、エアバッグカバー５のシェル部６及びカバー部７は、それぞれ個別のプレカット材料部６０又は７０によって形成される一方、ヒンジを形成するために強固な常時接続部７２を介して互いに接続される。
【００７３】
結果的に、各エアバッグ３の膨張及び展開の間には開放しないシェル部６と、折り返し可能なカバー部７とを備える、図３ａ及び図３ｂに示されるエアバッグカバー５において、図１１ａに示される種類の構成、及び図１１ｂに示される種類の構成が想到される。
【００７４】
図１２ａには、図１１ａの構成の変形例が示されており、ここでは複数のプレカット材料部６０ａ，６０ｂ，６０ｃによって、例えば３つのプレカット材料部によってシェル部６が形成可能とされ、当該プレカット材料部は分離可能な接続部６４によって互いに接続され、このためシェル部６を形成する１つのプレカット材料部（６０ｂ）は、カバー部７を形成する１つのプレカット材料部７０として接続領域６７を介して１片構造で接続され、一方でシェル部６を形成する別のプレカット材料部６０ａ，６０ｂは、分離可能な接続部７４を介して、カバー部７を形成するプレカット材料部７０に接続される。
【００７５】
図１２ｂには、図１１ｂの構成の変形例が示されており、ここではシェル部６は、複数のプレカット材料部６０ａ，６０ｂ，６０ｃによって形成され、その中の１つ（６０ｂ）は、該当する強固な接続部７２を介して、カバー部７を形成するプレカット材料部７０に接続され、またその他のプレカット材料部（６０ａ，６０ｃ）は、分離可能な接続部７４を介して単に接続される。
【００７６】
図４ａ及び図４ｂに示される種類のエアバッグカバーはそれぞれ、図１２ａの構成及び図１２ｂの構成によって形成され、エアバッグ３の膨張及び展開の間に開放するエアバッグ部６と、折り返し可能なカバー部７とを備えている。
【００７７】
図１３には、図１１ｂの構成の変形例が示されており、ここではエアバッグカバー５のカバー部７を形成する１片構造のプレカット材料部７０が、分離可能な接続部７４を介してエアバッグカバー５のシェル部６を形成するプレカット材料部６０の前面側に単独で接続される。これにより、図５ａ及び図５ｂに示される種類のエアバッグカバーが形成され、シェル部６は、エアバッグカバー５に配置されたエアバッグ３の膨張及び展開の間は閉鎖されたままとされ、一方でカバー部７は、シェル部６から完全に分離される。
【００７８】
最後に、図１４には、図１３の構成の変形例が示されており、ここではシェル部６は、複数の別体のプレカット材料部６０ａ，６０ｂ，６０ｃからなり、これらプレカット材料部は、それらの端部領域において分離可能な接続部６４を介して互いに接続される。これにより、図６ａ及び図６ｂに示される種類のエアバッグカバーでは、エアバッグカバー内に配置されたエアバッグ３の膨張及び展開の間に、シェル部６は接続部６４の分離によって開放されるとともに、カバー部７はシェル部６から完全に分離されることがわかる。
【００７９】
特に図１５ａ，図１５ｂ，図１６ａ及び図１６ｂによって示されるように、異なる原理で前述した種類の柔軟なエアバッグカバーは、異なる形状での製造が可能とされ、従って異なるエアバッグモジュールへの挿設が可能とされる。
【００８０】
図１５ａには、図１で説明したような種類の本質的に中空円筒状のエアバッグカバー５が示されており、このエアバッグカバーは、シェル部６とその前面側に設けられたカバー部７を備え、ステアリングホイールハブＮの上方の中央領域に２つのスポークを有する車両ステアリングホイールＬ上に配置されており、またステアリングホイールの中央領域に設けられたエアバッグモジュールＭ、従ってエアバッグとこのエアバッグを膨張させるためのガスジェネレータとを収容している。
【００８１】
そのようなエアバッグモジュールＭは、例えばスナップ接続又はラッチ接続によって、車両ステアリングホイールＬ上の骨格に接続され、またこれによりエアバッグモジュールＭ上に作用する所定荷重によってホーン機能が起動可能となるようにステアリングホイール骨格上に移動可能に配置され得る。
【００８２】
柔軟なエアバッグカバー５上に、特にはそのカバー部７上にロゴを設けることができ、当該ロゴは、エアバッグモジュールＭが配置される車両の製造業者、及び／又はエアバッグモジュールＭの製造業者を示す。そのようなロゴは、（例えば、刻印、編み込み、打印によって）エアバッグモジュールＭの材質に一体状に形成可能とされ、或いはエアバッグカバーとは別部品（例えば、柔らかい材料、弾性を有する材料、或いは柔軟性ないし可撓性を有する材料）として構成可能とされ、或いは、例えば強固な接続部６２の領域でシェル部６上に縫合されてエアバッグカバー５からロゴフラッグとして突出可能とされる。
【００８３】
図１５ａの変形例である図１５ｂによれば、エアバッグモジュールＭはその断面が本質的に三角形とされ、該当する柔軟なエアバッグカバー５には、３つのスポークを有するステアリングホイールが有利に設けられ、このため当該エアバッグカバーの角部のそれぞれに３つのスポークＳがそれぞれ割り当てられている。
【００８４】
図１６ａ及び図１６ｂには、図１及び図１５ａの構成から幾何学構造について変更された実施形態の分解図及び斜視図が示されており、このためモジュールラック１’及びモジュールカバー５’の幾何学形状が主な相違点とされる。これらは、図１６ａ及び図１６ｂの構成では、２つのスポークを有する車両ステアリングホイールＬの２つのスポークＳを本質的に完全に被覆するように（ステアリングホイールリムＫによって規定される所定平面に沿って）長めに構成されており、これは特に図１６ａ及び図１６ｂによって明確化される。
【００８５】
図１６ａ及び図１６ｂには、環状に一周するステアリングホイールリムＫと、２つのスポークＳを介してステアリングホイールリムＫに接続されたステアリングホイール中央領域のハブＮとを備える車両ステアリングホイールＬが詳細に示されている。
【００８６】
ステアリングホイールスポークＳは、ステアリングホイールＬに直接的に組み付けられ、従ってステアリングホイール骨格の一部を形成し、また別個の被覆物又は収容体を備えておらず、これは、その被覆機能ないし収容機能が、エアバッグカバーＭ、及び特に図１６ａ及び図１６ｂの実施形態のエアバッグカバー５によって兼務されているからである。従って、一方でエアバッグモジュールＭのモジュールラック１’は、ステアリンホイールＬのうち運転者に向かう上面に関し、ステアリングホイールＬの２つのスポークの骨格を本質的に完全に被覆するように長尺状に構成されている。モジュールラック１’には、一方では、複数の固定開口の形態の固定部１２が設けられ、当該固定部は、ジェネレータアセンブリグループ２を、固定開口に係合する固定ボルトの形態の固定要素２２を介してジェネレータ側に固定する機能を果たし、また他方では、ジェネレータアセンブリグループ２の（ポット形状の）ガスジェネレータ２５の一部のための開口部１５が設けられている。
【００８７】
本実施の形態において、ジェネレータラック２０から突出するジェネレータ側のこれら複数の固定要素２２は、それに応じて例えば挿通開口の形態の固定部を設けることによって、ステアリングホイール中央領域にエアバッグモジュールＭを固定する機能も同時に果たすこともでき、その挿通開口に対し、ジェネレータ側のねじボルトの形態の固定要素が係合し、また図示されていない取り付けナットによって固定される。モジュールラック１’は、固定開口の形態のその固定部１２に固定ボルトの形態のジェネレータ側の固定要素２２が挿通され、（ハブＮの上方で）ジェネレータラック２０とステアリングホイール中央領域との間に挟み込まれてクランプされる。
【００８８】
図１６ａ及び図１６ｂの実施形態では、エアバッグモジュールのエアバッグ３は、長尺状のエアバッグ包体へと圧縮され、このエアバッグ包体の外側境界部がモジュールラック１’の長尺形状に適合されている。
【００８９】
図１６ａ及び図１６ｂによれば、環状に一周するシェル部６と、シェル部６のうち車両乗員に向かう前面側をシールするカバー部７とを有する柔軟なエアバッグカバー５’は、モジュールラック１’、ジェネレータアセンブリグループ２及びエアバッグ３からなるエアバッグアセンブリグループを被覆する機能を果たし、このためエアバッグカバー５’は、エアバッグモジュールが予定のように規定状態で車両に装着された際に、エアバッグ３及びジェネレータアセンブリグループ２のみならず、モジュールラック１’及びステアリングホイールスポークＳもまた被覆するように構成され、これによりステアリングホイールに直面して着座している運転者によって視認可能とされない。
【００９０】
図１６ｃには、エアバッグカバー５’の特定の構成に関し、図１６ａ及び図１６ｂの実施形態の変形例が示されており、当該エアバッグカバーは、図１６ｃの実施形態においても、本質的に車両ステアリングホイールＬのスポークＳを被覆するように長尺状に構成されており、一方で図１６ｃのエアバッグカバー５’では、図１６ａ及び図１６ｂのエアバッグカバーとは異なり、長尺延在方向（長尺軸）に関しては非対称とされている。
【００９１】
従って、柔軟性を有し、また必要に応じて伸縮性を有する（柔らかい）材料をエアバッグカバーに使用することによって、車両周辺部、例えば運転者用エアバッグモジュールの場合のステアリングホイールに視認可能な隙間（ギャップ）が形成されるのを防止するという可能性が新たに生じ、また更には、エアバッグカバーにおいて運転者に視認されない破断継ぎ目が形成され、エアバッグの膨張及び展開の間に、エアバッグ拡張用の開口部を開放するべく当該継ぎ目に沿って破断する。
【００９２】
更に、軽量で柔軟性を有する材料からなるエアバッグカバーは、低圧下での開放が可能とされ、従って適用されるガスジェネレータに対する要求が低減され、また特に低温又は特に高温の場合に好ましくは変形量が低くなるような使用材料を選択することができる。
【００９３】
先述のエアバッグカバーの実施形態ではそれぞれ、各エアバッグカバーが１又は複数の柔軟なプレカット材料部からなり、それらは柔軟なカバーを形成するべく規定の材料部に沿って、特にはリム部に沿って互いに接続されるように特徴付けられており、このため接続部は、エアバッグモジュールのエアバッグの膨張及び展開の間のその抵抗特性に関しては、膨張時にエアバッグ展開用の開口部を開放するべく、接続部の少なくとも一部が分離される（緩められる）ように特徴付けられる。
【００９４】
複数のプレカット材料部の場合には、共にエアバッグカバーを形成する各々のプレカット材料部に異なる材料を使用することができ、それぞれの場合にエアバッグカバーの各部位の機能が適合される。従って、エアバッグカバーのうち装飾に関し視認可能な領域のカバー部に対して異なる材料が使用可能とされ、またエアバッグカバーのシェル部（シェル部分）については別の材料特性が適合可能とされる。
【００９５】
従って、柔軟なエアバッグカバーは、好ましくはエアバッグモジュールの外側カバーを形成し、柔軟なエアバックカバーがキャップとエアバッグとの間に中間層を単に形成する場合には、エアバッグモジュールを取り囲む追加のキャップを要しない。実際には、複数タイプのモジュール、例えば運転者用モジュール及び乗員用モジュールが、少なくとも車両乗員が視認可能な部位、即ち少なくともそのカバー部にある場合には、柔軟なエアバッグカバーが各エアバッグモジュールの外側カバーを有利に形成する。従って、車室内において視認可能とされる視認可能面の事（特に、少なくともカバー部の場合）とされる。
【００９６】
そのようなエアバッグカバーを製造するために、先ず最初に、その後でエアバッグカバーを形成するべく互いに固定される（平坦状の平らな）プレカット材料部が準備され、またエアバッグカバーをモジュールラックに対し後ほど固定するための適切な固定手段が用いられる。前述の順序とは異なり、複数のプレカット材料部の接続前に、少なくとも１つのプレカット材料部に固定手段を取り付けることもできる。
【００９７】
改良として、各プレカット材料部の少なくとも一部が、追加の方法ステップで処理可能とされ、例えばプレカット材料部によってエアバッグカバーのカバー部を形成し、（圧力及び／又は温度の作用による）形状成形処理を行ない、これにより一方では材料の柔軟性が維持され、三次元の基本形状が形成される。
【００９８】
エアバッグを、必要に応じてエアバッグモジュールの更なる別の構成要素、例えばジェネレータアセンブリグループ及び／又はモジュールラックのような構成要素とともに、エアバッグカバー内へと圧縮するために、先ず最初に柔軟なエアバッグカバーが一度折り返され、これにより通常は視認可能なエアバッグカバーの外壁部が内側に向かい、またその反対に内壁部が外側に向かい、その後エアバッグカバーに収容されたエアバッグは、必要に応じて、補助領域（例えば、その上部プレート）で中間層を介してエアバッグカバーの一部、特にそのカバー部に接続可能とされる。
【００９９】
次の製造ステップでは、エアバッグカバーに収容されたエアバッグは、例えば折り畳み及び／又は襞付けによって圧縮され、またその後にエアバッグカバーは、圧縮されたエアバッグ包体を覆うように外側への回転によって折り返され、これにより柔軟なエアバッグカバーの外壁部及び内壁部も再び外側に向かう。
【０１００】
最後に、エアバッグカバーは、例えばモジュールラックや別の車両構成要素としての保持部に対し、そこに設けられた例えば（環状に一周する）固定バンドの形態の固定手段を介して固定され、このためエアバッグカバーのうちエアバッグカバーのカバー部（上部側）とは反対側の前面側（底部側）において固定が生じ、このため固定手段を適切に（正確に）配置することによって、同時にエアバッグカバーの締め付けも可能とされる。
【０１０１】
このため、特にエアバッグカバーが新たに緩むこと無くエアバッグカバーの張力を吸収可能となるように、該当する保持部に対してエアバッグカバーが固定される。これは、予め組み付けられたエアバッグモジュールとして車両に装着されるべく予め組み付けるエアバッグモジュール内において、エアバッグがモジュールラックと共に予めモジュールラックに装着されるときに特に重要とされる。車両へのエアバッグモジュールの装着の間に、エアバッグカバーが最終的に車両に固定されると、車両衝突時のエアバッグの膨張及び展開の際にエアバッグカバーに作用する荷重によって、柔軟なエアバッグカバーが１又は複数の該当する保持部（保持部品）から故意無く分離されないように構成されなければならない。
【０１０２】
異なる柔軟なエアバッグカバーが、（車両ステアリングホイールに組み付けられる）運転者用エアバッグモジュールとして使用される実施例によって前述したが、そのような柔軟なエアバッグカバーは、例えば、助手席用、側面用、頭部用、頭部−胸部用、膝部用、また別のエアバッグモジュールのような別の種類のモジュールにも使用可能とされる。特に、エアバッグモジュールにおいて、１又は複数の車両乗員の視認可能領域にエアバッグカバーの少なくとも一部が配置されるようなエアバッグカバーが有利とされ、これにより柔軟なエアバッグカバーを設計する実現性が明確化される。
【０１０３】
水平状、直線状、又は規定曲線に沿ってエアバッグカバーの延在面が形成されるように、特にエアバッグカバーにおける非水平／うねりを回避するように、エアバッグカバー又はエアバッグカバー材料は、柔軟性を有し、また必要に応じて伸縮可能とされ、従って柔軟性を有する場合に有利とされ、適正な（張力）荷重がエアバッグカバーに作用する。これは同時に、エアバッグカバー内に形状成形の形態で配置されたエアバッグ包体にも作用し得る。
【０１０４】
エアバッグカバーの拘束力は、例えばモジュールラックのような少なくとも１つの保持部への固定の際に固く結合されることによって生じる。従って、作用する張力荷重は、例えばエアバッグカバーに使用される材料の柔軟性、柔らかさ及び弾性、エアバッグカバーの締め付け及び締め付け解除、伸縮及び伸縮解除、拡張の比率のような異なる因子、またコンパクト化されたエアバッグ包体の圧縮度合いなどに依存する。そのような影響因子を調節することによって、異なる柔軟性材料、例えば織物材料、プラスチック材料（特にはフィルムの形態）、皮革、合成皮革などのように弾性が完全に異なる材料を、カバーに対して使用することが可能とされる。
【０１０５】
本発明では、「請求項１から４のうちのいずれか一項に記載のエアバッグカバーであって、前記エアバッグカバー（５）は、前記エアバッグ包体を取り囲むシェル部（６）と、前記シェル部（６）の前面側に配置されたカバー部（７）とを有することを特徴とするエアバッグカバー」という態様（態様１）を採り得る。
また本発明では、「前記態様１に記載のエアバッグカバーであって、前記カバー部（７）は、前記エアバッグ（３）の展開の間に、少なくとも一部が前記シェル部（６）から分離されることを特徴とするエアバッグカバー」という態様（態様２）を採り得る。
また本発明では、「前記態様２に記載のエアバッグカバーであって、前記カバー部（７）は、前記エアバッグ（３）の展開後に、少なくとも一部が前記シェル部（６）に接続されていることを特徴とするエアバッグカバー」という態様（態様３）を採り得る。
また本発明では、「前記態様２に記載のエアバッグカバーであって、前記カバー部（７）は、前記エアバッグ（３）の展開の間に、前記シェル部（６）から完全に分離されることを特徴とするエアバッグカバー」という態様（態様４）を採り得る。
また本発明では、「前記態様２から４のうちのいずれかに記載のエアバッグカバーであって、前記カバー部（７）は、前記エアバッグ（３）に接続され、エアバッグ展開後においても少なくとも一部が前記エアバッグ（３）との接続を維持することを特徴とするエアバッグカバー」という態様（態様５）を採り得る。
また本発明では、「前記態様１から５のうちのいずれかに記載のエアバッグカバーであって、前記シェル部（６）は、前記エアバッグ（３）の膨張及び展開の際に分離される少なくとも１つの分離可能な接続部（６４）を有し、これにより展開する前記エアバッグ（３）用の開口部が前記シェル部（６）に形成されることを特徴とするエアバッグカバー」という態様（態様６）を採り得る。
また本発明では、「請求項１から４、前記態様１から６のうちのいずれかに記載のエアバッグカバーであって、前記エアバッグカバー（５）は、当該エアバッグカバー（５）を専用の保持手段（１）に固定可能とする固定手段（４）を備えていることを特徴とするエアバッグカバー」という態様（態様７）を採り得る。
また本発明では、「前記態様７に記載のエアバッグカバーであって、前記固定手段（４）は、前記エアバッグカバー（５）上を一周する固定リングからなり、前記エアバッグカバー（５）は、この固定リングを介して前記保持手段（１）に固定可能とされることを特徴とするエアバッグカバー」という態様（態様８）を採り得る。
また本発明では、「請求項１から４、前記態様１から８のうちのいずれかに記載のエアバッグカバーであって、柔軟なエアバッグカバー（５）に規定形状にするべく張力が付与されると、前記エアバッグカバー（５）は専用の保持手段（１）によって保持されることを特徴とするエアバッグカバー」という態様（態様９）を採り得る。
また本発明では、「請求項１から４、前記態様１から９のうちのいずれかに記載のエアバッグカバーであって、前記エアバッグカバー（５）は、前記エアバッグ（３）を収容するように当該エアバッグカバー（５）が折り返し可能とされ、これにより前記エアバッグカバー（５）が回転されることを特徴とするエアバッグカバー」という態様（態様１０）を採り得る。
【０１０６】
また本発明では、「請求項１から４、前記態様１から１０のうちのいずれかに記載のエアバッグカバーであって、前記少なくとも１つのプレカット材料部（６０；６０ａ；６０ｂ；６０ｃ；６０ｄ；７０）は、前記接続部（６２，６４；７２，７４）での接続が形成される前は、平らなプレカット部として形成されることを特徴とするエアバッグカバー」という態様（態様１１）を採り得る。
また本発明では、「請求項１から５、前記態様１から１１のうちのいずれかに記載のエアバッグカバーであって、前記エアバッグカバー（５）は、前記エアバッグ（３）を収容するための外側収容体を形成し、これにより前記エアバッグカバー（５）とは別に、前記エアバッグ（３）から形成されたエアバッグ包体を収容し、前記エアバッグ包体自体を保持可能とするエアバッグ（３）用の別の収容体を要しないことを特徴とするエアバッグカバー」という態様（態様１２）を採り得る。
また本発明では、「請求項１から５、前記態様１から１２のうちのいずれかに記載のエアバッグカバーであって、前記エアバッグカバーは、圧縮状態のエアバッグ包体として収容したエアバッグ（３）を保持するよう配置構成されていることを特徴とするエアバッグカバー」という態様（態様１３）を採り得る。
また本発明では、「請求項６に記載の方法であって、前記プレカット材料部（６０；６０ａ；６０ｂ；６０ｃ；６０ｄ；７０）として、平らなプレカット部が使用されることを特徴とする方法」という態様（態様１４）を採り得る。
また本発明では、「請求項６又は前記態様１４に記載の方法であって、柔軟な前記エアバッグカバー（５）に、当該エアバッグカバー（５）を車両構成部、特にモジュールラック（１）に固定するための固定手段（４）を設けることを特徴とする方法」という態様（態様１５）を採り得る。
また本発明では、「前記態様１５に記載の方法であって、前記エアバッグカバー（５）を保持手段（１）に固定可能とする固定手段（４）として、前記エアバッグカバー（５）まわりを一周する弾性リングを設けることを特徴とする方法」という態様（態様１６）を採り得る。
【符号の説明】
【０１０７】
１，１’  モジュールラック
２  ジェネレータアセンブリグループ
３  エアバッグ
４  装着リング
５，５’  エアバッグカバー（モジュールカバー）
６  シェル部
６ａ  外面（外壁部）
６ｉ  内面（内壁部）
７  カバー部
７ａ  外面（外壁部）
７ｉ  内面（内壁部）
８  中間層
１０  保持プレート
１２  固定部
１４  外側リム（リム部）
１５  凹部
１６  側壁部
２０  ジェネレータラック
２２  固定要素
２５  ガスジェネレータ
３２  接続部
３５  凹部
６０，６０ａ，６０ｂ，６０ｃ，６０ｄ，７０  プレカット材料部
６１  ループ
６２，６４，７２，７４，８２  接続部
６７  接続領域
Ｋ  ステアリングホイールリム
Ｌ  車両ステアリングホイール
Ｍ  エアバッグモジュール
Ｎ  ハブ
Ｓ  スポーク
【手続補正２】
【補正対象書類名】特許請求の範囲
【補正対象項目名】全文
【補正方法】変更
【補正の内容】
【特許請求の範囲】
【請求項１】
車両用エアバッグモジュールのエアバッグ包体へと圧縮されたエアバッグ（３）を収容するエアバッグカバーであって、
柔軟な材料からなる１つ又はそれよりも多くのプレカット材料部（６０；６０ａ；６０ｂ；６０ｃ；６０ｄ；７０）と、
前記少なくとも１つのプレカット材料部（６０；６０ａ；６０ｂ；６０ｃ；６０ｄ；７０）がエアバッグ包体の少なくとも一部を収容するエアバッグカバー（５）を形成するように、前記少なくとも１つのプレカット材料部（６０；６０ａ；６０ｂ；６０ｃ；６０ｄ；７０）の領域を互いに接続する接続部（６２，６４；７２，７４）と、
を備え、
ａ）前記エアバッグカバー（５）は、車両装着時に、少なくとも一部が車両乗員に視認可能とされる前記エアバッグモジュールの外側カバーを形成し、
ｂ）少なくとも幾つかの接続部が分離可能に構成され、衝突事故の際に前記エアバッグ（３）が膨張及び展開したとき、該当する接続部（６４，７４）が分離されることを特徴とするエアバッグカバー。
【請求項２】
請求項１に記載のエアバッグカバーであって、
前記少なくとも１つのプレカット材料部（６０；６０ａ；６０ｂ；６０ｃ；６０ｄ；７０）は、伸縮可能な材料から製造されていることを特徴とするエアバッグカバー。
【請求項３】
請求項１又は２に記載のエアバッグカバーであって、
前記接続部（６２，６４；７２，７４）は、前記少なくとも１つのプレカット材料部（６０；６０ａ；６０ｂ；６０ｃ；６０ｄ；７０）の縁部領域間に形成されていることを特徴とするエアバッグカバー。
【請求項４】
請求項１から３のうちのいずれか一項に記載のエアバッグカバーであって、
前記エアバッグカバー（５）内に、少なくとも１つのループ（６１）が少なくとも１つの分離可能な接続部（６４）によって形成固定され、前記ループ（６１）は、前記エアバッグ（３）の膨張及び展開の間に前記接続部（６４）が緩むことによって、前記エアバッグカバー（５）の一部へと変形可能とされ、これにより前記エアバッグカバー（５）によって定まる容積が増加することを特徴とするエアバッグカバー。
【請求項５】
請求項１から４のうちのいずれか一項に記載のエアバッグカバーであって、
前記少なくとも１つのプレカット材料部（６０；６０ａ；６０ｂ；６０ｃ；６０ｄ；７０）用の材料は、織物、特にプラスチック箔としての可撓性プラスチック、皮革、合成皮革の中から選択されていることを特徴とするエアバッグカバー。
【請求項６】
請求項１から５のうちのいずれか一項に記載のエアバッグカバーを製造するための方法であって、
前記エアバッグカバー（５）は、柔軟な材料から製造された少なくとも１つのプレカット材料部（６０；６０ａ；６０ｂ；６０ｃ；６０ｄ；７０）から形成され、前記少なくとも１つのプレカット材料部（６０；６０ａ；６０ｂ；６０ｃ；６０ｄ；７０）の領域が互いに接続され、少なくとも幾つかの接続部（６２，６４；７２，７４）が分離可能とされ、衝突事故の際の前記エアバッグ（３）が膨張及び展開したとき、該当する接続部が分離されることを特徴とする方法。
【請求項７】
特に請求項１から５のうちのいずれか一項に記載の柔軟なエアバッグカバー（５）にエアバッグ包体を配置するための方法であって、
前記エアバッグカバー（５）は、最初に、前記エアバッグカバー（５）の外面（６ａ，７ａ）が内側に向かい、前記エアバッグカバー（５）の内面（６ｉ，７ｉ）が外側に向かうように折り返し可能とされ、その後に、前記エアバッグカバー（５）は、回転によって当該エアバッグカバー全体が折り返され、これにより前記エアバッグ包体を形成するエアバッグ（３）が前記エアバッグカバー（５）によって収容され、前記エアバッグカバー（５）の外面（６ａ，７ａ）が再び外側に向かい、前記エアバッグカバー（５）の内面（６ｉ，７ｉ）が再び内側に向かうことを特徴とする方法。
【請求項８】
請求項７に記載の方法であって、
前記エアバッグカバー（５）が前記エアバッグ包体を覆って折り返される前に、前記エアバッグ（３）は、少なくとも１つの接続部（３２）において前記エアバッグカバー（５）に接続されることを特徴とする方法。
【請求項９】
請求項８に記載の方法であって、
前記エアバッグ（３）は、前記エアバッグカバー（５）が少なくとも１つの接続部（３２）において前記エアバッグ（３）に接続された後に、エアバッグ包体へと圧縮されることを特徴とする方法。
【請求項１０】
請求項７から９のうちのいずれかに一項に記載の方法であって、
前記エアバッグカバー（５）は、前記エアバッグ包体を覆って折り返された後に、保持部、特にモジュールラック（１）に固定されることを特徴とする方法。
【国際調査報告】
2011513130.tif 000030
2011513130.tif 000031
2011513130.tif 000032
2011513130.tif 000033
2011513130.tif 000034
2011513130.tif 000035